(57)【要約】例示的な実施形態は、複数の分散ユニット（ＤＵ）を介して通信するようにユーザ装置（ＵＥ）を設定するための、無線アクセスネットワーク内の第１の集約ユニット（ＣＵ）によって実行される方法及び／又は手順を含む。そのような実施形態は、第１のＤＵを介してＵＥと通信するために第１の無線リソース制御（ＲＲＣ）エンティティを起動することを含む。そのような実施形態は更に、第１のＤＵとのデュアルコネクティビティ（ＤＣ）設定でＵＥと通信するための第２のＤＵを選択することを含む。そのような実施形態は更に、選択された第２のＤＵが第１のＣＵと関連付けられているかどうかに基づいて、第２のＤＵを介してＵＥと通信するために第１のＣＵ内で第２のＲＲＣエンティティを起動するかどうかを決定することを含む。他の実施形態は、ＵＥによって実行される相補的な方法及び／又は手順と、そのような方法及び／又は手順を実行するように構成されたＣＵ及びＵＥと、そのような方法及び／又は手順に対応する命令を格納したコンピュータ読み取り可能媒体とを含む。
2021523601.tif 000002
【特許請求の範囲】
【請求項１】
複数の分散ユニット（ＤＵ）を介して通信するようにユーザ装置（ＵＥ）を設定するための、無線アクセスネットワーク（ＲＡＮ）において第１の集約ユニット（ＣＵ）によって実行される方法であって、
第１のＤＵを介して前記ＵＥと通信するために第１の無線リソース制御（ＲＲＣ）エンティティを起動すること（１８１０）と、
前記第１のＤＵとのデュアルコネクティビティ（ＤＣ）設定で前記ＵＥと通信するための第２のＤＵを選択すること（１８４０）と、
前記選択された第２のＤＵが前記第１のＣＵと関連付けられているかどうかに基づいて、前記第２のＤＵを介して前記ＵＥと通信するために前記第１のＣＵ内で第２のＲＲＣエンティティを起動するかどうかを決定すること（１８５０）と、
を含む、方法。
【請求項２】
請求項１に記載の方法であって、前記第１のＤＵを介して前記ＵＥとの第１の無線ベアラを確立すること（１８２０）を更に含み、前記第１の無線ベアラは、前記第１のＲＲＣエンティティと関連付けられた第１のシグナリング無線ベアラ（ＳＲＢ）である、方法。
【請求項３】
請求項１又は２に記載の方法であって、前記第２のＤＵが前記第１のＣＵと関連付けられている場合に、前記第１のＣＵ内で前記第２のＲＲＣエンティティを起動すること（１８６１）を更に含む、方法。
【請求項４】
請求項３に記載の方法であって、前記第２のＲＲＣエンティティと関連付けられたカプセル化されたＲＲＣメッセージを含む、前記第１のＲＲＣエンティティと関連付けられたＲＲＣメッセージを、前記第１のＤＵを介して前記ＵＥへ送信すること（１８６３）を更に含む、方法。
【請求項５】
請求項２乃至４のいずれか一項に記載の方法であって、前記第１の無線ベアラを介して前記ＵＥから、１つ以上の更なるＤＵに関する無線測定値を受信すること（１８３０）を更に含み、前記第２のＤＵは、前記無線測定値に基づいて前記１つ以上の更なるＤＵから選択される、方法。
【請求項６】
請求項１乃至５のいずれか一項に記載の方法であって、前記選択された第２のＤＵが前記第１のＣＵと関連付けられているかどうかに基づいて、前記第２のＤＵを介して前記ＵＥとの１つ以上の更なる無線ベアラを確立するかどうかを決定すること（１８５２）を更に含む、方法。
【請求項７】
請求項６に記載の方法であって、前記１つ以上の更なる無線ベアラは、
第２のＳＲＢ、
前記第１のＳＲＢについてのスプリットベアラ、
前記第１のＤＵを通じて確立された既存のデータ無線ベアラ（ＤＲＢ）についてのスプリットベアラ、及び
１つ以上の更なるＤＲＢ、
のうちの少なくとも１つを含む、方法。
【請求項８】
請求項７に記載の方法であって、前記第２のＤＵが前記第１のＣＵと関連付けられている場合に、前記第２のＲＲＣエンティティに関連して前記第２のＳＲＢを確立すること（１８６２）を更に含む、方法。
【請求項９】
請求項６に記載の方法であって、
前記１つ以上の更なる無線ベアラは、
第２のＳＲＢと、前記第１のＳＲＢについてのスプリットベアラと、のうちの１つを含む第１の更なる無線ベアラ、及び
前記第１のＤＵを通じて確立された既存のデータ無線ベアラ（ＤＲＢ）についてのスプリットベアラと、１つ以上の更なるＤＲＢと、のうちの１つを含む第２の更なる無線ベアラ、を含み、
前記第１の更なる無線ベアラを確立するかどうかの決定（１８５２）は、前記第２の更なる無線ベアラを確立するかどうかの決定（１８５２）とは独立して実行される、方法。
【請求項１０】
請求項９に記載の方法であって、
前記第１の更なる無線ベアラは、前記第１のＳＲＢについてのスプリットベアラであり、
前記第２の更なる無線ベアラは、前記第１のＤＵを通じて確立された前記既存のＤＲＢについての前記スプリットベアラであり、
前記方法は更に、前記第２のＤＵが前記第１のＣＵと関連付けられている場合に、
前記第１のＳＲＢについての前記スプリットベアラを確立すること（１８６６）と、
前記既存のＤＲＢについての前記スプリットベアラを確立することを控えること（１８６７）と、
を含む、方法。
【請求項１１】
請求項６に記載の方法であって、前記第２のＤＵが前記第１のＣＵと関連付けられている場合に、前記第１の無線ベアラとも関連付けられているセキュリティキーに関連して前記１つ以上の更なる無線ベアラを確立すること（１８６４）を更に含む、方法。
【請求項１２】
請求項６に記載の方法であって、前記第２のＤＵが前記第１のＣＵと関連付けられている場合に、前記１つ以上の更なる無線ベアラに関係する１つ以上のコンテキストセットアップメッセージを、前記第２のＤＵへ送信すること（１８６５）を更に含む、方法。
【請求項１３】
請求項１２に記載の方法であって、前記１つ以上のコンテキストセットアップメッセージは、
前記ＵＥの１つ以上の能力、
キャリアアグリゲーションに使用可能な１つ以上のセルのリスト、
前記無線測定値の少なくとも一部、
前記第２のＤＵによって使用される測定設定、及び
前記１つ以上の更なる無線ベアラに関する情報、
のうちの少なくとも１つを含む、方法。
【請求項１４】
請求項１乃至１３のいずれか一項に記載の方法であって、前記第２のＤＵが前記第１のＣＵと関連付けられていない場合に、前記第２のＤＵを介して前記１つ以上の更なる無線ベアラを確立することを求める要求を、Ｘｎインタフェースを介して第２のＣＵへ送信すること（１８７０）を更に含む、方法。
【請求項１５】
請求項１乃至１４のいずれか一項に記載の方法であって、前記第１のＤＵ及び前記第２のＤＵは、前記ＵＥと通信するために異なる無線アクセス技術を利用するように構成されている、方法。
【請求項１６】
ユーザ装置（ＵＥ）が無線アクセスネットワーク（ＲＡＮ）において複数の分散ユニット（ＤＵ）を介して通信するための方法であって、
第１のＤＵを介して、第１の集約ユニット（ＣＵ）内の対応する第１のＲＲＣエンティティと通信するために第１の無線リソース制御（ＲＲＣ）エンティティを起動すること（１９１０）と、
前記第１のＣＵ内の第２のＲＲＣエンティティと関連付けられたカプセル化されたＲＲＣメッセージであって、前記第１のＣＵと関連付けられた第２のＤＵに関する情報を含むカプセル化されたＲＲＣメッセージを含む少なくとも１つのメッセージを、前記第１のＣＵ内の前記第１のＲＲＣエンティティから受信すること（１９４０）と、
前記第２のＤＵを介して前記第１のＣＵ内の前記第２のＲＲＣエンティティと通信するために前記ＵＥ内で第２のＲＲＣエンティティを起動すること（１９５０）と、
を含む、方法。
【請求項１７】
請求項１６に記載の方法であって、前記第１のＤＵを介して前記第１のＣＵとの第１の無線ベアラを確立すること（１９２０）を更に含み、前記第１の無線ベアラは、前記第１のＲＲＣエンティティと関連付けられた第１のシグナリング無線ベアラ（ＳＲＢ）である、方法。
【請求項１８】
請求項１６又は１７に記載の方法であって、前記第１の無線ベアラを介して前記第１のＣＵへ、１つ以上の更なるＤＵに関する無線測定値を送信すること（１９３０）を更に含み、前記１つ以上の更なるＤＵは前記第２のＤＵを含む、方法。
【請求項１９】
請求項１６乃至１８のいずれか一項に記載の方法であって、前記第２のＤＵを介して前記第１のＣＵとの１つ以上の更なる無線ベアラを確立すること（１９６０）を更に含む、方法。
【請求項２０】
請求項１９に記載の方法であって、前記１つ以上の更なる無線ベアラは、
第２のＳＲＢ、
前記第１のＳＲＢについてのスプリットベアラ、
前記第１のＤＵを通じて確立された既存のデータ無線ベアラ（ＤＲＢ）についてのスプリットベアラ、及び
１つ以上の更なるＤＲＢ、
のうちの少なくとも１つを含む、方法。
【請求項２１】
請求項１９又は２０に記載の方法であって、
前記１つ以上の更なる無線ベアラは第２のＳＲＢを含み、
前記ＵＥ内の前記第２のＲＲＣエンティティは、前記第２のＳＲＢを介して前記ＣＵ内の前記第２のＲＲＣエンティティと通信する、方法。
【請求項２２】
請求項１９乃至２１のいずれか一項に記載の方法であって、前記１つ以上の更なる無線ベアラは、前記第１の無線ベアラとも関連付けられているセキュリティキーに関連して確立される、方法。
【請求項２３】
無線アクセスネットワーク（ＲＡＮ）（４９０）内の第１の集約ユニットＣＵ（４１０，５１０，１４００）であって、前記第１のＣＵは、複数の分散ユニットＤＵ（４２０，４３０，５２０，５３０，１３００）を介して１つ以上のユーザ装置（ＵＥ）と通信するように構成されており、前記第１のＣＵは更に、請求項１乃至１５のいずれか一項に記載の方法に対応する動作を実行するように構成されている、第１のＣＵ。
【請求項２４】
無線アクセスネットワーク（４９０）内の第１の集約ユニットＣＵ（４１０，５１０，１４００）であって、前記第１のＣＵは、複数の分散ユニットＤＵ（４２０，４３０，５２０，５３０，１３００）を介して１つ以上のユーザ装置（ＵＥ）と通信するように構成されており、前記第１のＣＵは、
前記複数のＤＵと通信するように構成されたネットワークインタフェース回路（１４０８）と、
前記ネットワークインタフェース回路に動作可能に結合されており、請求項１乃至１５のいずれか一項に記載の方法に対応する動作を実行するように構成された１つ以上のプロセッサ（１４１４）と、
を備える、第１のＣＵ。
【請求項２５】
無線アクセスネットワーク（４９０）内の第１の集約ユニット（ＣＵ）（４１０，５１０，１４００）を含む１つ以上のプロセッサ（１４１４）によって実行されると、請求項１乃至１５のいずれか一項に記載の方法に対応する動作を実行するように前記第１のＣＵを構成する、コンピュータ実行可能命令（１４０７）を格納した、非一時的なコンピュータコンピュータ読み取り可能媒体（１４１０）。
【請求項２６】
無線アクセスネットワーク（４９０）内の第１の集約ユニット（ＣＵ）（４１０，５１０，１４００）を含む１つ以上のプロセッサ（１４１４）によって実行されると、請求項１乃至１５のいずれか一項に記載の方法に対応する動作を実行するように前記第１のＣＵを構成するコンピュータ実行可能命令を含む、コンピュータプログラムプロダクト（１４０７）。
【請求項２７】
無線アクセスネットワーク（４９０）と通信するように構成されたユーザ装置（ＵＥ）（５８０，１６００）であって、前記ＵＥは、請求項１６乃至２２のいずれか一項に記載の方法に対応する動作を実行するように構成されている、ＵＥ。
【請求項２８】
無線アクセスネットワーク（４９０）と通信するように構成されたユーザ装置（ＵＥ）（５８０，１６００）であって、前記ＵＥは、
請求項１６乃至２２のいずれか一項に記載の方法に対応する動作を実行するように構成された１つ以上のプロセッサ（１６０２）と、
前記ＲＡＮ内の複数の分散ユニット（４２０，４３０，５２０，５３０，１３００）と通信するように構成されたトランシーバ回路（１６１６）と、
を備える、ＵＥ。
【請求項２９】
ユーザ装置（ＵＥ）（５８０，１６００）に含まれる１つ以上のプロセッサ（１６０２）によって実行されると、請求項１６乃至２２のいずれか一項に記載の方法に対応する動作を実行するように前記ＵＥを構成するコンピュータ実行可能命令（１６０７）を格納した、非一時的なコンピュータコンピュータ読み取り可能媒体（１６０４）。
【請求項３０】
ユーザ装置（ＵＥ）（５８０，１６００）に含まれる１つ以上のプロセッサ（１６０２）によって実行されると、請求項１６乃至２２のいずれか一項に記載の方法に対応する動作を実行するように前記ＵＥを構成するコンピュータ実行可能命令（１６０７）を含む、コンピュータプログラムプロダクト（１６０７）。
【発明の詳細な説明】
【技術分野】
【０００１】
本開示の実施形態は、全体として無線通信ネットワークに関するものであり、より具体的には、無線通信ネットワークにおける単一のユーザ装置（ＵＥ）と複数の基地局との間のコネクションを確立することに関するものである。
はじめに
【０００２】
一般に、本明細書で使用される全ての用語は、異なる意味が明確に与えられ、及び／又は、それが使用される文脈から暗示されない限り、関連する技術分野におけるそれらの通常の意味に従って解釈されるべきである。エレメント、装置、コンポーネント、手段、ステップ等へのあらゆる言及は、特に明記しない限り、エレメント、装置、コンポーネント、手段、ステップ等の少なくとも１つのインスタンスを指すものとしてオープンに解釈されるべきである。本明細書に開示される任意の方法のステップは、ステップが別のステップの後又は前として明示的に説明されている場合、及び／又はステップが別のステップの後又は前になければならないことが黙示的でる場合を除き、開示される正確な順序で実行される必要はない。本明細書に開示される実施形態のいずれかの任意の特徴は、適切な場合には、任意の他の実施形態に適用されてもよい。同様に、任意の実施形態の任意の利点は、任意の他の実施形態に適用されることができ、その逆も同様である。本明細書の実施形態の他の目的、特徴、及び利点は、以下の説明から明らかになるのであろう。
【０００３】
ロングタームエボリューション（ＬＴＥ）は、第３世代パートナーシッププロジェクト（３ＧＰＰ）内で開発され、発展型ＵＴＲＡＮ（Ｅ−ＵＴＲＡＮ）としても知られるリリース８及び９で最初に標準化された、いわゆる第４世代（４Ｇ）無線アクセス技術の総称である。ＬＴＥは、様々なライセンス周波数帯域を対象としており、進化型パケットコア（ＥＰＣ）ネットワークを含む、システムアーキテクチャエボリューション（ＳＡＥ）と一般に称される非無線態様の改善を伴う。ＬＴＥは、無線アクセスネットワーク（ＲＡＮ）ＷＧ、及びサブワーキンググループ（例えば、ＲＡＮ１、ＲＡＮ２等）を含む、３ＧＰＰ及びそのワーキンググループ（ＷＧ）での規格設定プロセスに従って開発される後続のリリースを通じて発展し続けている。
【０００４】
ＬＴＥでは、無線リソース制御（ＲＲＣ）プロトコルが、ユーザ装置（ＵＥ）と、発展型ノードＢ（ｅＮＢ）として知られる基地局との間の無線コネクションをコンフィギュレーション、セットアップ、及び維持するために使用される。ＵＥは、ｅＮＢからＲＲＣメッセージを受信すると、コンフィギュレーションを適用し（明細書では「コンフィギュレーションをコンパイルする」とも称する）、これに成功すると、ＵＥは、この応答をトリガしたメッセージのトランザクションＩＤを示すＲＲＣ完了メッセージを生成する。
【０００５】
ＬＴＥリリース８以降、３つのシグナリング無線ベアラ（ＳＲＢ）、即ち、ＳＲＢ０、ＳＲＢ１及びＳＲＢ２が、ＵＥとｅＮＢとの間のＲＲＣ及び非アクセス層（ＮＡＳ）メッセージのトランスポートのために使用可能である。ＳＲＢ１ｂｉｓとして知られる新たなＳＲＢも、ＮＢ−ＩｏＴにおけるＤｏＮＡＳ（Data Over NAS）をサポートするためにｒｅｌ−１３で導入された。
【０００６】
ＳＲＢ０は、ＣＣＣＨ論理チャネルを使用してＲＲＣメッセージを運ぶとともに、ＲＲＣコネクションのセットアップ、再開、及び再確立の処理に使用される。ＵＥがｅＮＢに接続されると（即ち、ＲＲＣコネクションのセットアップ又はＲＲＣコネクションの再確立／再開が成功すると）、ＳＲＢ１は、ＳＲＢ２の確立の前に、全てＤＣＣＨ論理チャネルを使用して、（ピギーバックされたＮＡＳメッセージを含みうる）更なるＲＲＣメッセージ及びＮＡＳメッセージを処理するために使用される。ＳＲＢ２は、ログに記録された測定情報等のＲＲＣメッセージ、及び全てＤＣＣＨを使用するＮＡＳメッセージに使用される。ＳＲＢ２は、ＳＲＢ１よりも低い優先度を有しており、これは、ログに記録された測定情報及びＮＡＳメッセージが長くなり、より緊急でより小さいＳＲＢ１メッセージのブロッキングを引き起こす可能性があるためである。ＳＲＢ２は、セキュリティ起動後、常にＥ−ＵＴＲＡＮによってコンフィギュレーションされる。
【０００７】
ＬＴＥ Ｒｅｌ−１０（Ｒｅｌ−１０）で追加された特徴は、２０ＭＨｚより大きい帯域幅をサポートするが、Ｒｅｌ−８との下位互換性を維持している。したがって、（例えば、２０ＭＨｚよりもより広い）広帯域ＬＴＥ Ｒｅｌ−１０キャリアは、ＬＴＥ Ｒｅｌ−８端末に対して、ある数のキャリア（「コンポーネントキャリア」又は「ＣＣ」と称される）として現れるべきである。広帯域Ｒｅｌ−１０キャリアを効率的に使用するために、広帯域ＬＴＥ Ｒｅｌ−１０キャリアの全ての部分でレガシー（例えばＲｅｌ−８）端子がスケジューリングされうる。これを達成する１つの方法は、キャリアアグリゲーション（ＣＡ）を用いるものであり、それによって、ＬＴＥ Ｒｅｌ−１０端末は、それぞれが好ましくはＲｅｌ−８キャリアと同じ構造を有する多数のＣＣを受信できる。
【０００８】
ＬＴＥとの関連では、プライマリサービングセル（ＰＣｅｌｌ、例えば、ＰＣｅｌｌ１）は、データ及び制御シグナリングの両方がＰＣｅｌｌを介して送信されうるように無線デバイスにサービスを行う「メイン」セルとして定義され、一方、１つ以上の追加サービングセル又はセカンダリサービングセル（Ｓｃｅｌｌ、例えば、ＳＣｅｌｌ２及びＳＣｅｌｌ３）は、典型的には、データのみを送信するために使用され、（複数の）Ｓｃｅｌｌはより大きなデータスループットを実現するための追加の帯域幅を提供する。ＣＡ対応ＵＥは、常にアクティブ化されるＰＣｅｌｌ（例えば、ＰＣｅｌｌ１）と、動的にアクティブ化又は非アクティブ化されうる１つ以上のＳＣｅｌｌ（例えば、ＳＣｅｌｌ２及び／又はＳＣｅｌｌ３）とを割り当てられる。
【０００９】
アグリゲーションされるＣＣの数及び個別のＣＣの帯域幅は、アップリンクとダウンリンクとで異なりうる。「対称コンフィギュレーション」は、ダウンリンク及びアップリンクにおけるＣＣの数が同じである場合を指し、「非対称コンフィギュレーション」は、ＣＣの数が異なる場合を指す。更に、セル内にコンフィギュレーションされるＣＣの数は、端末から見えるＣＣの数とは異なりうる。例えば、端末は、セルに同じ数のアップリンクＣＣ及びダウンリンクＣＣがコンフィギュレーションされていても、アップリンクＣＣよりも多くのダウンリンクＣＣをサポートできる。
【００１０】
デュアルコネクティビティ（ＤＣ）フレームワークは、ロングタームエボリューション（ＬＴＥ）と広く称されるEvolved Universal Terrestrial Radio Access Network（Ｅ−ＵＴＲＡＮ）の規格のリリース１２において規定されている。デュアルコネクティビティは、所与のＵＥが、ＲＲＣ＿ＣＯＮＮＥＣＴＥＤ状態にある間に、非理想的なバックホールで互いに接続された少なくとも２つの異なるネットワークポイントによって提供される無線リソースを消費する動作モードを指す。ＬＴＥ規格では、これら２つのネットワークポイントは「マスタｅＮＢ」（ＭｅＮＢ）及び「セカンダリｅＮＢ」（ＳｅＮＢ）と称されうる。ＤＣは、キャリアアグリゲーションの特殊ケースと見なすことができ、ここで、アグリゲーションされたキャリア又はセルが、互いに物理的に分離され、かつ、高速の品質のコネクションを介して互いに接続されていないネットワークノードによって提供される。
【００１１】
より具体的には、デュアルコネクティビティ（ＤＣ）は、ＲＲＣ＿ＣＯＮＮＥＣＴＥＤ状態にあるＵＥの動作モードであり、ＵＥは、マスタセルグループ（ＭＣＧ）とセカンダリセルグループ（ＳＣＧ）とで構成される。セルグループ（ＣＧ）は、ＭｅＮＢ又はＳｅＮＢのいずれかと関連付けられたサービングセルのグループである。マスターセルグループ（ＭＣＧ）は、プライマリセル（ＰＣｅｌｌ）と、オプションとして１つ以上のセカンダリセル（ＳＣｅｌｌ）とを含む、ＭｅＮＢと関連付けられたサービングセルのグループである。セカンダリセルグループ（ＳＣＧ）は、プライマリＳｃｅｌｌ（ｐＳＣｅｌｌ）と、オプションとして１つ以上のＳｃｅｌｌとを含む、ＳｅＮＢと関連付けられたサービングセルのグループである。
【００１２】
「スペシャルセル（Special Cell）」（又は、略して「ＳｐＣｅｌｌ」）は、ＵＥのＭＡＣエンティティがＭＣＧ又はＳＣＧにそれぞれ関連付けられているかどうかに依存して、ＭＣＧのＰＣｅｌｌ又はＳＣＧのＰＳＣｅｌｌを指す。非ＤＣ動作（例えば、ＣＡ）では、ＳｐＣｅｌｌはＰＣｅｌｌを指す。ＳｐＣｅｌｌは、常にアクティブ化され、ＵＥによる物理アップリンク制御チャネル（ＰＵＣＣＨ）送信及び競合ベースのランダムアクセスをサポートする。
【００１３】
言い換えると、ＤＣのＵＥは、アンカノード及びブースタノードへの同時コネクションを維持し、アンカノードはＭｅＮＢとも称され、ブースタノードはＳｅＮＢとも称される。その名称が示すように、ＭｅＮＢは、ＵＥへの制御プレーンコネクションを終端し、それ故に、ＳｅＮＢへのハンドオーバ及びＳｅＮＢからのハンドオーバを含むＵＥの制御ノードである。例えば、ＭｅＮＢは、少なくともＳ１−ＭＭＥコネクション（即ち、ｅＮＢと、ＵＥに対するモビリティ管理エンティティ（ＭＭＥ）との間のコネクション）を終端するｅＮＢである。ＳｅＮＢは、ＵＥに大して追加の無線リソース（例えば、ベアラ）を提供しているが、ＭｅＮＢではないｅＮＢである。無線リソースベアラのタイプには、ＭＣＧベアラ、ＳＣＧベアラ、及びスプリットベアラが含まれる。
【００１４】
ＵＥとのＲＲＣコネクションは、ＭｅＮＢのみによって扱われ、そのためＳＲＢ（シグナリング無線ベアラ（Signaling Radio bearer））は常にＭＣＧベアラタイプとして設定され、それ故にＭＮの無線リソースのみを使用する。しかし、ＭｅＮＢはＳｅＮＢからの入力に基づいてＵＥを設定することもでき、それ故に、ＳｅＮＢはＵＥを間接的に制御することもできる。ＬＴＥ−ＤＣ設定では、ＭｅＮＢは、Ｘｎインタフェースを介してＳｅＮＢに接続され、
当該インタフェースは、現在、２つのｅＮＢ間のＸ２インタフェースと同一となるように選択されている。
【００１５】
ＬＴＥの原理によれば、ＵＥは、イベントトリガ又は周期的トリガのいずれに起因するかにかかわらず、サービングセルの測定値を含む測定報告を提供する。ＬＴＥ−ＤＣにおけるＵＥの場合、サービングセルは、ＭＣＧ（ＭＮ）内のセルとＳＣＧ（ＳＮ）内のセルとの両方を意味する。モビリティ測定のために、ＭｅＮＢは、例えば、測定する周波数、報告する方法等を含む、種々の基準に従ってＵＥを設定する。これに対応して、ＵＥは、測定基準が満たされると、測定結果をＭｅＮＢに送信する。ＬＴＥの原理によれば、ＵＥがイベントトリガであろうと周期的トリガであろうと、測定報告を送信する必要がある場合、ＵＥは常に、サービングセルの測定結果をネットワークに送信しなければならない。ＬＴＥ−ＤＣにおけるＵＥの場合、サービングセルは、ＭＣＧ（ＭＮ）内のセルとＳＣＧ（ＳＮ）内のセルとの両方を意味する。
【００１６】
図１Ａは、ＵＥ１００（例えば、１００ａ〜ｄ）及び基地局（ｅＮＢ）１１０（例えば、１１０ａ〜ｅ）を含む、種々の例示的なＬＴＥ ＤＣシナリオを示す。図示されているように、（多くても）１つのＳｅＮＢのみが、図示されているＵＥのいずれかに接続されている。しかしながら、一般に２つ以上のＳｅＮＢがＵＥにサービスを行ってもよい。更に、ＭｅＮＢ及びＳｅＮＢの両方のうちのそれぞれ１つのセルのみが、ＵＥにサービスを行うように示されているが、実際には２つ以上のセルが、ＭｅＮＢ及びＳｅＮＢの両方からＵＥにサービスを行いうる。図から、デュアルコネクティビティがＵＥ固有の機能であること、及び、所与のネットワークノード（又はサービングセル） がデュアル接続されたＵＥとレガシーＵＥとを同時にサポートしうることも明らかである必要がある。言い換えると、ＭｅＮＢ及びＳｅＮＢは、特定の状況において、例えば特定のＵＥに関して、ｅＮＢ１１０によって演じられる役割又は提供される機能である。このため、図１ａのｅＮＢ１１０は、「ＭｅＮＢ」及び「ＳｅＮＢ」とラベル付けされているが、これはそれらが少なくとも１つのＵＥ１００に対してこの役割を果たしていることのみを示す。実際、所与のｅＮＢ１１０は、１つのＵＥに対するＭｅＮＢであると同時に、他のＵＥに対するＳｅＮＢでありうる。
【００１７】
マスタ／アンカー及びセカンダリ／ブースタの役割は、ＵＥの観点から定められ、これは、１つのＵＥに対するアンカーとして動作するノード（又はセル）が、別のＵＥに対するブースタとして動作しうることを意味する。同様に、ＤＣシナリオにおける所与のＵＥはアンカーノード（又はセル）からシステム情報を読み取るが、１つのＵＥに対するブースタとして動作するノード（又はセル）が別のＵＥにシステム情報を配信してもしなくてもよい。更に、ＬＴＥでは、周波数間ＤＣ のみがサポートされる（即ち、ＭＣＧ とＳＣＧ とは異なるキャリア周波数を使用する必要がある）。
【００１８】
要約すると、ＤＣは、ＬＴＥ対応ＵＥが２つのノード（ＭｅＮＢ及びＳｅＮＢ）に接続されて両方のノードからデータを受信し、それによってそのデータレートを増加させることを可能にする。ＭｅＮＢ（又はＭＮ）は、システム情報を提供し、制御プレーンを終端し、ユーザプレーンを終端しうる。一方、ＳｅＮＢ（又はＳＮ）は、ユーザプレーンのみを終端する。図１Ｂに、ＬＴＥ ＤＣのためのアグリゲーションされたユーザプレーン（ＵＰ）プロトコルスタックを示す。このＵＰアグリゲーションは、ＭｅＮＢとＳｅＮＢとの間の低レイテンシバックホール／ネットワークコネクションがなくても、良好なチャネル状態を有するユーザのユーザ当たりのスループットと、単一のノードによってサポートされうるよりも高いデータレートで受信及び送信する能力とを高める等の利点を達成する。
【００１９】
３ＧＰＰでは最近、５Ｇ用の新たな無線インタフェースに関する検討事項が完了し、３ＧＰＰは、しばしばＮＲ（New Radio）と略されるこの新たな無線インタフェースを標準化する努力を続けている。３ＧＰＰ ＴＲ３８．３０４は、ＭＮ及びＳＮがＮＲ、ＬＴＥ又はその両方を適用している種々の例示的なＤＣシナリオ又は設定を説明している。以下の用語は、これらの例示的なＤＣシナリオ又は設定を説明するために使用される：
●ＤＣ：ＬＴＥ ＤＣ（即ち、上述のように、ＭＮ及びＳＮの両方がＬＴＥを使用する）；
●ＥＮ−ＤＣ：ＬＴＥがマスター、ＮＲがセカンダリとなるＬＴＥ−ＮＲデュアルコネクティビティ；
●ＮＥ−ＤＣ：ＮＲがマスター、ＬＴＥがセカンダリとなるＬＴＥ−ＮＲデュアルコネクティビティ；
●ＮＲ−ＤＣ（又はＮＲ−ＮＲ ＤＣ）：ＭＮ及びＳＮの両方がＮＲを使用する；及び
●ＭＲ−ＤＣ（マルチＲＡＴ ＤＣ）：ＭＮ及びＳＮが異なるＲＡＴを使用する場合を説明するための一般的な用語（ＥＮ−ＤＣ及びＮＥ−ＤＣは、ＭＲ−ＤＣの２つの異なる事例である）。
【００２０】
スタンドアロン型ＮＲ及びＮＲ−ＤＣ（「ＮＲ−ＮＲ ＤＣ」とも称される）の標準化は、３ＧＰＰにおいて依然として進行中であり、ＮＲ−ＤＣのアーキテクチャは未だ定められていない。例えば、ＲＲＣ終端に関して、ＮＲ−ＤＣが、ＳＮとＵＥとの間のダイレクトＳＲＢ（例えば、以下で説明するＥＮ−ＤＣと同様）を利用して、単一のＭＮ終端ＲＲＣ（例えば、上述のＬＴＥ ＤＣと同様）を利用するか、ＭＮとＳＮとの両方で終端されるＲＲＣを利用するかは定められていない。更に、ＮＲ−ＤＣと（「ｇＮＢ」と称される）新たなＮＲ基地局スプリットアーキテクチャとの組み合わせは、ＵＥ及び／又はネットワークの動作において種々の困難性、問題、及び／又は曖昧さを生じさせることが予想される、
【発明の概要】
【００２１】
本明細書で開示される例示的な実施形態は、無線アクセスネットワーク（ＲＡＮ）の２つのノードから無線デバイス及び／又はユーザ装置（ＵＥ）へ、透過的な方法でデュアルコネクティビティ（ＤＣ）を提供するための、柔軟かつ効率的なアプローチを提供することによって、既存のソリューションのこれらの課題、問題、及び／又は欠点に対処する。例えば、ＵＥに対して、２つの利用されるＤＵが、同じＣＵによって制御される及び／又は同じＣＵと関連付けられるかどうかを含めて、使用される特定のＣＵ／ＤＵスプリットアーキテクチャから独立した方法で、ＮＲ−ＤＣが提供されうる。これは、２つのＲＲＣインスタンスがネットワーク内においてどこで終端されているかにかかわらず、デュアルＲＲＣインスタンスを扱うための、統一され、かつ、一貫したＵＥ動作を容易にすることが可能である。その結果、この特定の改善は、ＵＥに必要とされる実装及びテストの労力を低減し、これにより、そのような機能についてのより早期の市場導入が容易になる。
【００２２】
本開示の例示的な実施形態は、複数の分散ユニット（ＤＵ）を介して通信するようにユーザ装置（ＵＥ）を設定するための方法及び／又は手順を含む。例示的な方法及び／又は手順は、無線アクセスネットワーク（ＲＡＮ、例えば、ＮＧ−ＲＡＮ、Ｅ−ＵＴＲＡＮ等）内の基地局（例えば、ｇＮＢ、ｅｎ−ｇＮＢ、ｅＮＢ、ｎｇ−ｅＮＢ等）の第１の集約ユニット（ＣＵ）で実行されうる。
【００２３】
例示的な方法及び／又は手順は、第１のＤＵを介してＵＥと通信するために第１の無線リソース制御（ＲＲＣ）エンティティを起動することを含みうる。いくつかの実施形態では、例示的な方法及び／又は手順は更に、第１のＤＵを介してＵＥとの第１の無線ベアラを確立することを含みうる。第１の無線ベアラは、第１のＲＲＣエンティティと関連付けられたシグナリング無線ベアラ（ＳＲＢ）でありうる。いくつかの実施形態では、例示的な方法及び／又は手順は更に、第１の無線ベアラを介してＵＥから、１つ以上の更なるＤＵに関する無線測定値を受信することを含みうる。
【００２４】
例示的な方法及び／又は手順は更に、第１のＤＵとともにデュアルコネクティビティ（ＤＣ）設定でＵＥと通信するために第２のＤＵを選択することを含みうる。いくつかの実施形態では、第２のＤＵは、無線測定値に基づいて、１つ以上の更なるＤＵから選択されうる。例示的な方法及び／又は手順は更に、選択された第２のＤＵが第１のＣＵと関連付けられているかどうかに基づいて、第２のＤＵを介してＵＥと通信するために第１のＣＵ内で第２のＲＲＣエンティティを起動するかどうかを決定することを含みうる。 いくつかの実施形態では、第２のＤＵを介してＵＥとの１つ以上の更なる無線ベアラを確立するかどうかを決定することは、選択された第２のＤＵが第１のＣＵと関連付けられているかどうかにも基づきうる。
【００２５】
いくつかの実施形態では、例示的な方法及び／又は手順は更に、第２のＤＵが第１のＣＵと関連付けられている場合に、１つ以上の動作を実行することを含みうる。種々の実施形態において、これらの動作は、第１のＣＵ内で第２のＲＲＣエンティティを起動することと、第２のＲＲＣエンティティに関連して第２のＳＲＢを確立することと、第２のＲＲＣエンティティと関連付けられたカプセル化されたＲＲＣメッセージを含む、第１のＲＲＣエンティティと関連付けられたＲＲＣメッセージを、第１のＤＵを介してＵＥに送信することと、を含みうる。種々の他の動作も行われうる。
【００２６】
いくつかの実施形態では、例示的な方法及び／又は手順は更に、第２のＤＵが第１のＣＵと関連付けられていない場合に、第２のＤＵを介して１つ以上の更なる無線ベアラを確立することを求める要求を送信することを含みうる。
【００２７】
他の例示的な実施形態は、ユーザ装置（ＵＥ）が無線アクセスネットワーク（ＲＡＮ）内の複数の分散ユニット（ＤＵ）を介して通信するための方法及び／又は手順を含む。図１９に示される例示的な方法及び／又は手順は、ＲＡＮ内で動作するＵＥ（例えば、無線デバイス、ＩｏＴデバイス、モデム等、又はそれらのコンポーネント）によって実行されうる。
【００２８】
例示的な方法及び／又は手順は、第１の分散ユニット（ＤＵ）を介して、第１の集約ユニット（ＣＵ）内の対応する第１のＲＲＣエンティティと通信するために、第１の無線リソース制御（ＲＲＣ）エンティティを起動することを含みうる。例えば、第１のＤＵは、第１のＣＵと関連付けられうる。いくつかの実施形態では、例示的な方法及び／又は手順は更に、第１のＤＵを介して第１のＣＵとの第１の無線ベアラを確立することを含みうる。第１の無線ベアラは、第１のＲＲＣエンティティと関連付けられた第１のシグナリング無線ベアラ（ＳＲＢ）でありうる。いくつかの実施形態では、例示的な方法及び／又は手順は更に、第１の無線ベアラを介して第１のＣＵへ、１つ以上の更なるＤＵに関する無線測定値を送信することを含みうる。
【００２９】
例示的な方法及び／又は手順は更に、第１のＣＵ内の第１のＲＲＣエンティティから、第１のＣＵ内の第２のＲＲＣエンティティと関連付けられたカプセル化されたＲＲＣメッセージを含む少なくとも１つのメッセージを受信することを含みうる。カプセル化されたＲＲＣメッセージは、第１のＣＵと関連付けられた第２のＤＵに関する情報も含みうる。いくつかの実施形態では、第２のＤＵは、ＵＥが更なるＤＵについての無線測定値を送信した当該更なるＤＵのうちの１つでありうる。
【００３０】
例示的な方法及び／又は手順は更に、第２のＤＵを介して第１のＣＵ内の第２のＲＲＣエンティティと通信するために、ＵＥ内で第２のＲＲＣエンティティを起動することを含みうる。いくつかの実施形態では、例示的な方法及び／又は手順は更に、第２のＤＵを介して第１のＣＵとの１つ以上の更なる無線ベアラを確立することを含みうる。
【００３１】
他の例示的な実施形態は、上述の例示的な方法及び／又は手順のいずれかに対応する動作を実行するように構成された、基地局集約ユニット（ＣＵ、例えば、ｇＮＢ−ＣＵ）及びユーザ装置（ＵＥ、例えば、無線デバイス、ＩｏＴデバイス、モデム等、又はそれらのコンポーネント）を含む。他の例示的な実施形態は、ＣＵ又はＵＥを含む少なくとも１つのプロセッサによって実行されると、上述の例示的な方法及び／又は手順のいずれかに対応する動作を実行するようにＣＵ又はＵＥを構成するプログラム命令を格納した、非一時的なコンピュータ読み取り可能媒体を含む。
【００３２】
本開示の例示的な実施形態のこれら及び他の目的、特徴及び利点は、本開示の例示的な実施形態の以下の詳細な説明を読むことによって明らかになるのであろう。
【図面の簡単な説明】
【００３３】
【図１Ａ】図１Ａは、ユーザ装置（ＵＥ）及び進化型ノードＢ（ｅＮＢ）にかかわる種々の例示的なＬＴＥ（ロングタームエボリューション）デュアルコネクティビティ（ＤＣ）シナリオを示す、ハイレベルネットワーク図である。
【図１Ｂ】図１Ｂは、図１Ａに示されるような、ＬＴＥ ＤＣ用の例示的なユーザプレーン（ＵＰ）プロトコルスタックを示す。
【図２Ａ】、
【図２Ｂ】図２Ａ及び図２Ｂは、ＬＴＥ−Ｎｅｗ Ｒａｄｉｏ（ＬＴＥ−ＮＲ）タイトインターワーキングのための例示的なユーザプレーン（ＵＰ）及び制御プレーン（ＣＰ）アーキテクチャをそれぞれ示す。
【図３】図３は、ＬＴＥ ＤＣ及びＬＴＥ−ＮＲ ＤＣ（ＥＮ−ＤＣとも称される）におけるＣＰアーキテクチャ間のハイレベル比較を示すブロック図である。
【図４Ａ】、
【図４Ｂ】図４Ａ〜図４Ｂは、本開示の種々の例示的な実施形態による、種々の方法で分割及び／又は分離される例示的な５Ｇ論理ネットワークアーキテクチャを示すブロック図である。
【図５】図５Ａ〜Ｃは、本開示の種々の例示的な実施形態による、１つ以上のＣＵとＵＥとの間のデュアルＲＲＣコネクションのために使用されうる３つの異なる論理アーキテクチャを示す。
【図６】、
【図７】、
【図８】図６〜図８は、本開示の種々の例示的な実施形態に従って構成可能な例示的な通信システム及び／又はネットワークのブロック図である。
【図９】、
【図１０】、
【図１１】、
【図１２】図９〜図１２は、本開示の種々の例示的な実施形態による、通信システムにおいて実行される種々の例示的な方法及び／又は手順を示すフローチャートである。
【図１３】、
【図１４】、
【図１５】図１３〜図１５は、本開示の種々の例示的な実施形態による種々の方法で構成可能な例示的な無線アクセスノードのブロック図である。
【図１６】、
【図１７】図１６〜図１７は、本開示の種々の例示的な実施形態による種々の方法で構成可能な例示的な無線デバイス又はＵＥのブロック図である。
【図１８】図１８は、本開示の種々の例示的な実施形態による、基地局（例えば、ｇＮＢ）の集約ユニット（ＣＵ）によって実行される例示的な方法及び／又は手順を示すフローチャートである。
【図１９】図１９は、本開示の種々の例示的な実施形態による、ユーザ装置（ＵＥ）又は無線デバイスによって実行される例示的な方法及び／又は手順を示すフローチャートである。
【発明を実施するための形態】
【００３４】
以下では、本明細書において検討される実施形態のいくつかについて添付の図面を参照してより十分に説明する。しかしながら、他の実施形態は本明細書に開示された主題の範囲内に含まれており、開示された主題は本明細書に記載の実施形態のみに限定されると解釈されるべきではなく、むしろ、これらの実施形態は主題の範囲を当業者に伝えるために例として提供される。更に、以下の用語は、以下で与えられる説明を通して使用される：
●無線ノード：無線ノード： 本明細書で使用されるように、「無線ノード」は「無線アクセスノード」又は「無線デバイス」のいずれかでありうる。
●無線アクセスノード： 本明細書で使用されるように、「無線アクセスノード」（又は「無線ネットワークノード」）は、信号を無線で送信及び／又は受信するように動作するセルラ通信ネットワークの無線アクセスネットワーク（ＲＡＮ）内の任意のノードでありうる。無線アクセスノードのいくつかの例には、基地局（例えば、３ＧＰＰの第５世代（５Ｇ）ＮＲネットワークにおけるNew Radio（ＮＲ）基地局（ｇＮＢ）、又は３ＧＰＰ ＬＴＥネットワークにおける拡張又は進化型ノードＢ（ｅＮＢ）、高電力又はマクロ基地局、低電力基地局（例えば、マイクロ基地局、ピコ基地局、ホームｅＮＢ等）、及びリレーノードが含まれるが、これらに限定されない。
●コアネットワークノード： 本明細書で使用されるように、「コアネットワークノード」は、コアネットワーク内の任意のタイプのノードである。コアネットワークノードのいくつかの例には、例えば、モビリティ管理エンティティ（ＭＭＥ：Mobility Management Entity）、パケットデータネットワークゲートウェイ（Ｐ−ＧＷ：Packet Data Network Gateway）、サービス能力エクスポージャ機能（ＳＣＥＦ：Service Capability Exposure Function）等が挙げられる。
●無線デバイス： 本明細書で使用されるように、「無線デバイス」は、（１つ以上の）無線アクセスノードへの信号を無線で送信及び／又は受信することによって、セルラ通信ネットワークにアクセスする（即ち、セルラ通信ネットワークによってサービスが行われる）任意のタイプのデバイスである。無線デバイスのいくつかの例には、３ＧＰＰネットワーク内のＵＥ及びマシンタイプ通信（ＭＴＣ）デバイスが含まれるが、これらに限定されない。
●ネットワークノード： 本明細書で使用されるように、「ネットワークノード」は、無線アクセスネットワークの一部であるか又はセルラ通信ネットワーク／システムのコアネットワークの一部である、任意のノードである。
【００３５】
本明細書で与えられる説明は、３ＧＰＰセルラ通信システムに焦点を当てており、したがって、３ＧＰＰの用語又は３ＧＰＰの用語に類似する用語がしばしば使用されていることに留意されたい。しかしながら、本明細書で開示される概念は、３ＧＰＰシステムに限定されない。更に、「セル」との用語が本明細書で使用されるが、（特に５Ｇ ＮＲ概念に関して）ビームがセルの代わりに使用されてもよく、したがって、本明細書で説明される概念はセル及びビームの両方に等しく適用されることを理解されたい。
【００３６】
上記で簡潔に記載したように、スタンドアロン型ＮＲ及びＮＲ−ＤＣ（「ＮＲ−ＮＲ ＤＣ」とも称される）の標準化が３ＧＰＰにおいて依然として進行中であり、ＮＲ−ＤＣのアーキテクチャは未だ定められていない。例えば、ＲＲＣ終端に関して、ＮＲ−ＤＣが、ＳＮとＵＥとの間のダイレクトＳＲＢ（例えば、以下で説明するＥＮ−ＤＣと同様）を利用して、単一のＭＮ終端ＲＲＣ（例えば、上述のＬＴＥ ＤＣと同様）を利用するか、ＭＮとＳＮとの両方で終端されるＲＲＣを利用するかは定められていない。更に、ＮＲ−ＤＣと（「ｇＮＢ」と称される）新たなＮＲ基地局スプリットアーキテクチャとの組み合わせは、ＵＥ及び／又はネットワークの動作において種々の困難性、問題、及び／又は曖昧さを生じさせることが予想される、以下ではこれらについてより詳細に説明する。
【００３７】
ＬＴＥ−ＮＲタイトインターワーキング（ＥＮ−ＤＣの一形態、ここでは用語が交換可能に使用される）は、現在、リリース１５に向けて議論されている。このコンテキストにおいて、ＬＴＥ ＤＣからの主な変更は、以下の導入である：
●ＳＣＧスプリットベアラとも称される、ＳＮからのスプリットＵＰベアラ。この場合、ＳＮは、ＳｇＮＢ（セカンダリｇＮＢ）とも称され、ここで、ｇＮＢはＮＲ基地局の頭字語である。
●スプリットＲＲＣベアラ（即ち、ＭＮ及びＳＮ下位レイヤを介する１つのＲＲＣコネクション）は、スプリットＳＲＢとも称される。
●ＳＮとＵＥとの間のダイレクトＲＲＣコネクションは、ＳＣＧ ＳＲＢ、ダイレクトＳＲＢ、又はＳＲＢ３とも称される。
【００３８】
図２Ａ及び２Ｂは、ＬＴＥ−ＮＲタイトインターワーキングのための例示的なユーザプレーン（ＵＰ）及び制御プレーン（ＣＰ）アーキテクチャをそれぞれ示す。図３は、ＬＴＥ ＤＣ及びＥＮ−ＤＣにおけるＣＰアーキテクチャの高レベル比較を示すブロック図である。５Ｇ標準化及び５Ｇ展開の第１フェーズでは、最も可能性の高いシナリオは、ＭＮがＬＴＥを適用し、ＳＮがＮＲインタフェースを適用することである。それにもかかわらず、説明は、ＭＮ及びＳＮノードが種々の無線インタフェース技術を利用する、例えば、ＭＮ及びＳＮの両方が、それぞれが他のノードによる制限無しで、ＬＴＥ、ＮＲ及び／又は他の技術を利用できる種々のシナリオに等しく適用可能であることが理解されるべきである。いくつかの例示的な実施形態では、ＭＮ及び／又はＳＮは、以下でより詳細に説明するＲＡＮスプリットアーキテクチャ（例えば、ＣＵ及びＤＵ）の対象とされうる。
【００３９】
図２Ａに示すように、ＭＮは、Ｘ２インタフェースを介して（例えば、ＰＤＣＰレイヤ上の）ＵＰベアラトラフィックをＳＮに転送でき、一方で、ＳＮは、同様に、Ｘ２インタフェースを介してＰＤＣＰトラフィックをＭＮに転送できる。しかしながら、ＥＮ−ＤＣ標準化／実装の最初の段階では、可能性のあるシナリオは、ＮＲ ＳＮは５Ｇコアネットワーク（５ＧＣ）に直接接続されないが、ＵＥとＳＮの間のあらゆるＵＰトラフィックが、Ｘ２インタフェースを介してＬＴＥ ＭＮとの間で搬送され、最終的にはLTE Evolved Packet Core（ＥＰＣ）ネットワークに搬送されるものことである。その後、５ＧＣへ／５ＧＣから直接的にＵＰトラフィックを搬送するＮＲ ＳＮ（又はＮＲ ＭＮ）を含むＤＣシナリオが、実装のために標準化されうる。
【００４０】
同様に、図２Ｂは、ＵＥがＭＮ及びＳＮから個別のＳＲＢを介してＣＰトラフィックを受信できることを示す。これは、ＵＥが、無線リソース制御（ＲＲＣ）メッセージのようなシグナリングメッセージを、ＭＮ及びＳＮの両方から受信できることを意味する。その結果、図２Ｂに示されるＥＮ−ＤＣ ＣＰシナリオでは、ＵＥの制御に関与する２つのＲＲＣインスタンスが存在し、一方はＭＮから向けられ、他方はＳＮから向けられる。結果として、ＵＥは、ＭＮ及びＳＮの両方からのＲＲＣシグナリングを終端する必要がある。
【００４１】
そのような複数のＲＲＣインスタンスをＮＲ ＤＣに導入する、具体的にはＥＮ−ＤＣに対して導入する１つの動機付けは、ＭＮ及びＳＮが無線リソースを半自律的に制御することを可能にすることである。例えば、ＭＮは、ＬＴＥを使用していくつかのスペクトルからリソースを割り当てうる一方、ＳＮは、ＮＲを使用するいくつかの他のスペクトルからリソースの設定及び割り当てに関与しうる。ＬＴＥ及びＮＲにおいてリソースを割り当てるためのチャレンジは実質的に異なりうる。例えば、ビームフォーミングが非常に望ましいスペクトルではＮＲが割り当てられる場合がある一方、カバレッジは良好だがリソースが非常に混雑しているスペクトルではＬＴＥが割り当てられる場合がある。したがって、ＳＮが、ＵＥをその関連するリソース上で設定及び管理するための、あるレベルの自律性を有することが重要である。他方で、ＵＥへのコネクティビティについての全体的な責任は、ＭＮノードとの間に留まることがあり、その結果、ＭＮノードは、モビリティ、ＵＥの状態変化、サービス品質要求を満たすこと等について全体的な責任を有する。
【００４２】
スプリットＲＲＣベアラを導入する別の動機付けは、ネットワークとＵＥとの間においてより良好なモビリティロバスト性及び改善されたシグナリング／制御メッセージ配信を可能にする「ＲＲＣダイバーシティ」を提供することである。例えば、ＲＲＣメッセージ（例えば、ハンドオーバメッセージ又は任意の他の再設定メッセージ）は、２つのリンク、ＭｅＮＢ−ＵＥ及びＳｇＮＢ−ＵＥのうちのより良好なリンクを介して、１つのリンクが著しく劣化した場合であっても送信されうる。リンクにエラーが発生しやすい場合に、より良好な成功率及びより速い配信を達成するために、ＭｅＮＢ−ＵＥ及びＳｇＮＢ−ＵＥの両方を介して、重複するメッセージを送信することも可能である。「ＲＲＣダイバーシティ」のそのような利点は、現在のＬＴＥ ＤＣソリューションにおいて利用可能ではなく、したがって、３ＧＰＰはそのようなＲＲＣダイバーシティを可能にするためのチャレンジを行っている。ＲＲＣダイバーシティを有することは、しばしばＵＲＬＬＣ（Ultra Reliable Low Latency Communication）と称される、低レイテンシの超高信頼コネクションを必要とするユースケースにとって特に重要であることがわかる。
【００４３】
図２Ｂに示されるように、スプリットＲＲＣベアラＣＰアーキテクチャでは、ＭＮから生成及び／又は送信されるＲＲＣメッセージは、ＭｅＮＢ−ＵＥ（ＬＴＥ）リンクを介して送信されうるか、又はＳｇＮＢ−ＵＥ（ＮＲ）リンク上で送信されるようにＸ２インタフェースを介して中継されうる。ＭＮ ＬＴＥ ＰＤＣＰレイヤは、各ＲＲＣメッセージを適切なリンクにステアリングすることに関与する。次に、異なるパスを介してＵＥにおいて受信されたメッセージは、ＬＴＥ ＰＤＣＰレイヤで合成され、その後、更なる処理のためにＲＲＣレイヤに転送される。同様のアプローチが、ＵＥアップリンクにおいて使用されうる。
【００４４】
上記の議論は、プロトコル及び／又は機能レベルでＮＲ機能を扱っているが、種々のＮＲネットワークアーキテクチャも３ＧＰＰで規定されている（例えば、３ＧＰＰ ＴＲ ３８．８０１ｖ１．２．０を参照）。図４Ａは、次世代ＲＡＮ（ＮＧ−ＲＡＮ４９０）及び５Ｇコア（５ＧＣ４９８）から成る５Ｇネットワークアーキテクチャのハイレベル図を示す。ＮＧ−ＲＡＮ４９０は１つ以上のＮＧインタフェース（例えば、４０２及び４５２）を介して５ＧＣに接続されたｇＮｏｄｅＢ（ｇＮＢ、例えば、４００及び４５０）のセットを含みうる。ｇＮＢは、ｇＮＢ４００と４５０との間のＸｎインタフェース４４０等の１つ以上のＸｎインタフェースを介して互いに接続されうる。ＵＥへのＮＲインタフェースに関して、ｇＮＢの各々は、周波数分割複信（ＦＤＤ）、時分割複信（ＴＤＤ）、又はそれらの組み合わせをサポートしる。
【００４５】
ＮＧ−ＲＡＮ４９０は、無線ネットワークレイヤ（ＲＮＬ：Radio Network Layer）とトランスポートネットワークレイヤ（ＴＮＬ：Transport Network Layer）とに階層化されている。ＮＧ−ＲＡＮアーキテクチャ（即ち、ＮＧ−ＲＡＮ論理ノードとそれらの間のインタフェース）は、ＲＮＬの一部として定義されている。ＮＧ−ＲＡＮインタフェース（ＮＧ、Ｘｎ、Ｆ１）ごとに、関連するＴＮＬプロトコル及びと機能が規定されている。ＴＮＬは、ユーザプレーン・トランスポート及びシグナリング・トランスポートに対してサービスを提供する。いくつかの例示的な構成では、各ｇＮＢは、３ＧＰＰ ＴＳ ２３．５０１で定義される「ＡＭＦ領域」内の全ての５ＧＣノードに接続される。ＮＧ−ＲＡＮインタフェースのＴＮＬ上の制御プレーン（ＣＰ）及びユーザプレーン（ＵＰ）データに対するセキュリティ保護がサポートされる場合、ＮＤＳ／ＩＰ（３ＧＰＰ ＴＳ ３８．４０１）が適用されなければならない。
【００４６】
図４Ａに示される（及び３ＧＰＰ ＴＳ ３８．４０１及びＴＲ ３８．８０１に記載の）ＮＧ ＲＡＮ論理ノードは、セントラル（又は集約（centralized））ユニット（ＣＵ又はｇＮＢ−ＣＵ）と、１つ以上の分散（distributed）（又は分散（decentralized））ユニット（ＤＵ又はｇＮＢ−ＤＵ）とを含む。例えば、図４ＡのｇＮＢ４００は、ｇＮＢ−ＣＵ４１０とｇＮＢ−ＤＵ４２０及び４３０とを含み、ｇＮＢ４５０は、ｇＮＢ−ＣＵ４６０とｇＮＢ−ＤＵ４７０及び４８０とを含む。それぞれのＣＵは、上位レイヤプロトコルをホストでき、かつ、ＤＵの動作を制御する等の種々のｇＮＢ機能を実行できる論理ノードである。同様に、各ＤＵは、下位レイヤプロトコルをホストでき、かつ、機能分割に依存してｇＮＢ機能の種々のサブセットを含むことができる論理ノードである。したがって、ＣＵ及びＤＵのそれぞれは、処理回路（例えば、（複数の）プロセッサ及びメモリ）、ネットワークインタフェース及び／又は通信回路（例えば、トランシーバ）、並びに電源回路を含む、それぞれの機能を実行するために必要とされる種々の回路を備えうる。更に、「セントラルユニット」及び「集約ユニット」との用語は、「分散（distributed）ユニット」及び「分散（decentralized）ユニット」と同様、本明細書では交換可能に使用される。
【００４７】
ｇＮＢ−ＣＵは、図４Ａに示されるインタフェース４２２及び４３２等の、各Ｆ１論理インタフェースを介して、関連付けられたｇＮＢ−ＤＵに接続する。ｇＮＢ−ＣＵ及び接続されたｇＮＢ−ＤＵは、ｇＮＢとして他のｇＮＢ及び５ＧＣにのみ可視であり、例えば、Ｆ１インタフェースはｇＮＢ−ＣＵを超えて可視ではない。図４Ａによって示されるｇＮＢスプリットＣＵ−ＤＵアーキテクチャでは、同じＣＵによってサービスが行われる複数のＤＵにＵＥが接続することを可能にすることによって、又は、異なるＣＵによってサービスが行われる複数のＤＵにＵＥが接続することを可能にすることによって、ＤＣが実現されうる。
【００４８】
ＬＴＥと同様に、ＮＲは、キャリアアグリゲーション（ＣＡ）をサポートし、場合によっては参照されるように複数のキャリア（例えば、ＣＣ１等）又はサービングセル（例えば、ＰＣｅｌｌ、ＳＣｅｌｌ）をＵＥが利用することが可能になる。これにより、ＵＥの使用可能な帯域幅が増加し、それ故に、スループットが増加する。場合によっては更に重要かもしれないが、分散した帯域幅をＵＥがＣＡによって使用できるようになる。オペレータは、潜在的に異なる周波数帯域において、いくつかの帯域幅にアクセスしうる。ＣＡでは、これらの帯域幅は、周波数で分離されていても、１つのＵＥのためにアグリゲーションされうる。
【００４９】
更に、ｇＮＢ−ＣＵとｇＮＢ−ＤＵとの間のＦ１インタフェースは、以下の一般原則で規定されているか、又はそれに基づいている：
●Ｆ１は、オープンインタフェースである；
●Ｆ１は、それぞれのエンドポイント間のシグナリング情報のやりとりと、それぞれのエンドポイントへのデータ送信とをサポートする；
●論理的な観点から、Ｆ１は、（エンドポイント間に物理的な直接コネクションがない場合でも）エンドポイント間のポイントツーポイントインタフェースである；
●Ｆ１は、ｇＮＢ−ＣＵがＣＰ及びＵＰにおいて分離されうるように、制御プレーン（ＣＰ）及びユーザプレーン（ＵＰ）分離をサポートする；
●Ｆ１は、無線ネットワークレイヤ（ＲＮＬ）とトランスポートネットワークレイヤ（ＴＮＬ）とを分離する；
●Ｆ１は、ユーザ装置（ＵＥ）関連情報及び非ＵＥ関連情報のやりとりを可能にする；
●Ｆ１は、新たな要求条件、サービス、及び機能に関する将来のプルーフであると定められる；
●ｇＮＢは、Ｘ２、Ｘｎ、ＮＧ及びＳ１−Ｕインタフェースを終端する。
【００５０】
簡潔に述べたように、ＣＵは、ＲＲＣ及びＰＤＣＰ等の上位レイヤプロトコルをホストすることができ、ＤＵは、ＲＬＣ、ＭＡＣ及びＰＨＹ等の下位レイヤプロトコルをホストすることができる。ＲＲＣ、ＰＤＣＰ、及びＣＵ内のＲＬＣプロトコルの一部（例えば、自動再送要求（ＡＲＱ）機能）をホストする一方で、ＭＡＣ及びＰＨＹとともにＤＵ内のＲＬＣプロトコルの残りの部分をホストする等、ＣＵとＤＵとの間のプロトコル分散についての他の変形が存在する。そうではあっても、ＮＲリリース１５の場合、ＰＤＣＰレイヤ以上は集約化され、ＲＬＣ−ＭＡＣ−ＰＨＹレイヤは分散化される。Ｆ１インタフェースは、集約型プロトコルと分散型プロトコルとの間の通信に使用される。
【００５１】
また、３ＧＰＰ ＲＡＮ ＷＧ３は、ＣＵの制御プレーン（ＣＵ−ＣＰ）部分とユーザプレーン（ＣＵ−ＵＰ）部分との間の、「Ｅ１」と称される新たなオープンインタフェースについての作業を開始している。図４Ｂは、ＮＲ ＣＵの制御プレーン（ＣＵ−ＣＰ）部分とユーザプレーン（ＣＵ−ＵＰ）部分との間の論理インタフェースを示すブロック図である。新たなＥ１インタフェースに加えて、Ｆ１インタフェースは、ＣＰ（Ｆ１−Ｃ）機能とＵＰ（Ｆ１−Ｕ）機能とに論理的に分離されうる。スプリットＣＵ−ＵＰ／ＣＰについての以下のシナリオが、３ＧＰＰ ＴＲ３８．８０６に定められている：
●ＣＵ−ＣＰ及びＣＵ−ＵＰ集約型；
●ＣＵ−ＣＰ分散型、ＣＵ−ＵＰ集約型；
●ＣＵ−ＣＰ集約型、ＣＵ−ＵＰ分散型。
【００５２】
そうではあっても、スタンドアロン型ＮＲ及びＮＲ−ＤＣ（「ＮＲ−ＮＲ ＤＣ」とも称される）の標準化は、３ＧＰＰにおいて依然として進行中であり、ＮＲ−ＤＣのアーキテクチャは未だ定められていない。例えば、ＲＲＣ終端に関して、ＮＲ−ＤＣが、ＳＮとＵＥとの間のダイレクトＳＲＢ（例えば、以下で説明するＥＮ−ＤＣと同様）を利用して、単一のＭＮ終端ＲＲＣ（例えば、ＬＴＥ ＤＣと同様）を利用するか、ＭＮとＳＮとの両方で終端されるＲＲＣを利用するかは定められていない。更に、ＮＲ−ＤＣとＮＲ ＤＵ／ＣＵスプリットアーキテクチャと組み合わせは、種々の困難性及び／又は曖昧さを生じさせることが予想される。例えば、特定のＵＥとのＲＲＣコネクションは,ＣＵにおいて終端される。しかしながら、現在、各ＣＵは、その特定のＵＥとの単一のＲＲＣコネクションのみを終端させることができる。ＮＲ−ＤＣに使用されるＭＮ ＤＵ及びＳＮ ＤＵが同じＣＵと関連付けられている場合、これらの２つのＤＵが、それぞれマスターＲＲＣコネクション及びセカンダリＲＲＣコネクションをＵＥに提供することはできない。しかしながら、ＭＮ ＤＵ及びＳＮ ＤＵが異なるＣＵと関連付けられている場合、デュアルＲＲＣコネクションが可能である。この制限及び／又は不一致は、ＮＲ ＤＵ／ＣＵスプリットアーキテクチャが、ＮＲ−ＤＣと関連付けられた種々の利点及び／又は効果（本明細書で上述したものを含むがこれらに限定されない）を達成することを阻止及び／又は抑制しうる。
【００５３】
種々の例示的な実施形態は、ＰＤＣＰレイヤにおいて（又はそのすぐ下で）分割されたＣＵ−ＤＵアーキテクチャを採用する２つのＮＲノードがかかわるデュアルコネクティビティ（ＤＣ）（即ち、ＮＲ−ＤＣ）に関連して実行される方法、手順、及び／又は動作として、本明細書において記載される。これらの実施形態は、限定することなく例示のみを目的として使用される。例えば、これらの実施形態の原理は、以下のものが含まれるがそれらに限定されない、他の構成、シナリオ、及び／又はネットワークタイプに対して同様に適用可能である：
●３つ以上のＮＲノードがかかわるマルチコネクティビティ；
●単一のＤＵが複数のＲＡＴをサポートしている場合を含む、複数の無線アクセス技術（ＲＡＴ）がかかわるマルチコネクティビティ（例えば、ＭＲ−ＤＣ）；及び
●以下を含む、プロトコルスタックの他のポイントにおけるＣＵ−ＤＵスプリット：
‐ＲＲＣはＣＵ内；ＰＤＣＰ、ＲＬＣ、ＭＡＣ、ＰＨＹ、及びＲＦはＤＵ内。
‐ＲＲＣ、ＰＤＣＰ、及び高ＲＬＣはＣＵ内；低ＲＬＣ、ＭＡＣ、ＰＨＹ、及びＲＦはＤＵ内。
‐ＲＲＣ、ＰＤＣＰ、及びＲＬＣはＣＵ内；ＭＡＣ、ＰＨＹ、及びＲＦはＤＵ内。
‐低ＭＡＣ（例えば、ＨＡＲＱ）、ＰＨＹ、及びＲＦはＤＵ内；残りはＣＵ内。
‐ＰＨＹ及びＲＦはＤＵ内；残りはＣＵ内。
‐ＲＦはＤＵ内、残りはＣＵ内。
【００５４】
図５は、本開示の種々の例示的な実施形態による、１つ以上のＣＵとユーザ装置（ＵＥ）との間のデュアルＲＲＣコネクションのために使用されうる３つの異なる論理アーキテクチャを示す。図５に示すように、デュアルＲＲＣコネクションは「ＲＲＣ１」及び「ＲＲＣ２」と称され、これらのそれぞれは、「ＰＤＣＰ１」及び「ＰＤＣＰ２」とそれぞれ称される対応するＰＤＣＰコネクションと関連付けられる。説明では、ＭＮ（又は初期）ＲＲＣコネクション及びＳＮ（又は追加の）ＲＲＣコネクションをそれぞれ参照するためにＲＲＣ１及びＲＲＣ２を使用するが、これは単に説明の目的のためである。更に、これは、ＳＲＢ（例えば、ＳＲＢ１−３）及びＰＤＣＰエンティティの指定と混同されるべきではない。例えば、ＲＲＣ１上でＳＲＢ１及びＳＲＢ２の両方を実現することが可能であり、その場合、ＳＲＢ１及びＳＲＢ２と関連付けられた個別のＰＤＣＰ１エンティティが存在することになる。
【００５５】
更に、図５に示す例示的なネットワークアーキテクチャは、図４Ａに示すものと同様である。したがって、便宜上及び明確にするために、同様の数値ラベル付けスキームが使用される。より具体的には、図５は、Ｘｎインタフェースを介して接続された２つのｇＮＢ（ｇＮＢ１ ５００及びｇＮＢ２ ５５０）を示す。第１のｇＮＢ（即ち、ｇＮＢ１ ５００）は、（ｇＮＢ−ＣＵ５１０又はｇＮＢ１−ＣＵ５１０として示される）ＣＵと、（ｇＮＢ−ＤＵ１ ５２０及びｇＮＢ−ＤＵ２ ５３０として示される）２つのＤＵとを含む。第２のｇＮＢ（即ち、ｇＮＢ１ ５５０）は、（ｇＮＢ２−ＣＵ５６０として示される）ＣＵと、（ｇＮＢ−ＤＵ２ ５７０として示される）少なくとも１つのＤＵとを含む。図５は、デュアルＲＲＣコネクションを利用するＵＥ５８０も示している。
【００５６】
図５Ａは、ＣＵ−ＤＵ分割構成が利用されない例示的な論理アーキテクチャを示している。このアーキテクチャでは、ＵＥのデュアルＲＲＣコネクションは、Ｕｕインタフェースを介して個別のｇＮＢに対して（ＲＲＣ１はｇＮＢ１ ５００に対して、ＲＲＣ２はｇＮＢ２ ５００に対して）行われる。２つのｇＮＢは、上記のようにＸｎインタフェースを介して通信する。
【００５７】
図５Ｂ〜Ｃは、ＣＵ−ＤＵ Ｆ１インタフェースに基づくＣＵ−ＤＵ分割構成を利用する２つの例示的な論理アーキテクチャを示している。両方の場合において、ＵＥのデュアルＲＲＣコネクションは、Ｕｕインタフェースを介して個別のｇＮＢ−ＤＵへ（ｇＮＢ−ＤＵ１ ５２０を介してＲＲＣ１、ｇＮＢ−ＤＵ２ ５７０を介してＲＲＣ２へ）搬送される。図５Ｂでは、２つのＤＵは、Ｘｎインタフェースを介して互いに接続される個別のＣＵ（ｇＮＢ−ＣＵ１ ５１０及びｇＮＢ−ＣＵ２ ５６０）と関連付けられる。これらのＣＵの各々は、ＵＥとのＲＲＣコネクションのうちの１つを保持する。このシナリオは、「ＣＵ間（inter-CU）ＮＲ−ＤＣ」と称されうる。図５Ｃでは、２つのｇＮＢ−ＤＵ５２０，５３０は、種々の実施形態において、ＵＥとの両方のＲＲＣコネクションを保持しうる単一のｇＮＢ−ＣＵ５１０と関連付けられる。このシナリオは、「ＣＵ内（intra-CU）ＮＲ−ＤＣ」と称されうる。
【００５８】
図５Ｂ〜Ｃに示される２つのスプリットＣＵ−ＤＵアーキテクチャに関して、最初に、ＵＥは、ｇＮＢ−ＤＵ１ ５２０とのＵｕインタフェースを介して搬送されるプライマリＲＲＣコネクション（例えば、ＲＲＣ１）を有する単一コネクションモードになる。ＮＲ−ＤＣを開始すると、ＣＵ（例えば、図５ＢのｇＮＢ−ＣＵ１ ５１０、図５ＣのｇＮＢ−ＣＵ５１０）は、適切な測定を実行するようにＵＥを設定しうる。ＵＥが、報告条件を満たす測定報告を送信すると、ＣＵは、第２のＤＵ（例えば、図５ＢのｇＮＢ−ＤＵ２ ５７０、図５ＣのｇＮＢ−ＤＵ２ ５３０）を使用してＤＣのためにＵＥを設定しうる。
【００５９】
本開示の種々の例示的な実施形態では、ＮＲ−ＤＣのために考慮されている第２の（又はターゲット）ＤＵが、そのＣＵと関連付けられたＤＵ（即ち、図５Ｃに示されるようなＣＵ内ＮＲ−ＤＣ）であるとＣＵが判定した場合、当該ＣＵは、セカンダリＲＲＣ（例えば、図５に示されるＲＲＣ２）に対応する追加のＲＲＣエンティティを確立しうる。ＤＣセットアップの間に、ＣＵ内のＲＲＣ２エンティティは、例えばＦ１−ＡＰ ＵＥコンテキストセットアップ要求メッセージを使用して、ＤＣのセットアップに必要な情報を、ターゲットＤＵ（例えばｇＮＢ−ＤＵ２）に送信する。ＤＵ２に伝えられるこの情報は、以下を含みうる：
●ＤＵ２によって使用されうるＵＥ無線機能の一部。
●ＰＳＣｅｌｌ、及び、ＳＣＧ無線レグ（radio leg）においてキャリアアグリゲーションをセットアップするためにＤＵによって使用されうるＳＣｅｌｌのリスト。必要に応じて、オプションとしてＣＵは、ＵＥから報告されたＤＵセルの測定結果を送信しうる。
●ＣＵがＳＣＧのためにセットアップを望む測定設定、必要に応じて、適切な測定ギャップを設定するためにＤＵによって情報が使用される。
●セットアップされるＤＲＢ／ＳＲＢについての情報。
【００６０】
ターゲットＤＵは、以下のような情報でＣＵに応答しうる：
●ＳＣＧのために選択されたセルグループ設定（例えば、ＰＳＣｅｌｌ及びＳＣＧ−ＳＣｅｌｌのための下位レイヤ設定）。
●セットアップされているＤＲＢ／ＳＲＢ（及び、セットアップされていないＤＲＢ／ＳＲＢも）。
【００６１】
セカンダリＤＵ（例えば、ｇＮＢ−ＤＵ２）の追加、変更、又は再設定中に、ＵＥは、ＲＲＣ１を介して、セカンダリＤＵの代わりにＣＵによって準備されうる埋め込みＲＲＣ２メッセージを含むダウンリンクＲＲＣメッセージ（以下、「ＲＲＣ１メッセージ」と称される）を受信しうる。ＲＲＣ２メッセージは、ＳＣＧ設定を含みうる。同様に、アップリンクにおいて、ＵＥは、埋め込みＲＲＣ２メッセージを含むＲＲＣ１メッセージをＣＵに送信しうる。その後、ＣＵは、例えば、異なるソフトウェアハンドラ間、仮想ＲＲＣマシン間、及び／又はジオ冗長（georedundant）ＣＵインスタンス間で、このメッセージを内部的にＲＲＣ２エンティティに転送しうる。例えば、同じＣＵ内の２つの仮想ＲＲＣマシンは、互いの間で調整され、共同の成功及び失敗ハンドリングを有していてもよいし、又は、ＲＲＣ１手順の結果がＲＲＣ２手順の結果に影響を及ぼさないように独立していてもよく、その逆もまた同様である。
【００６２】
種々の実施形態では、ＤＣをセットアップする際、関与するＣＵは、例えば、ＤＣに関与する２つのＤＵが異なるＣＵによって制御されるかどうかを含む、種々の要因に基づいて、ＳＲＢ３（即ち、ＵＥとＳＮとの間の直接ＲＲＣコネクション）をセットアップするかどうかを決定しうる。いくつかの実施形態では、単一のＣＵが、関与する両方のＤＵ（例えば、図５Ｃに示されるＣＵ内ＮＲ−ＤＣ）を制御する場合であっても、ＣＵは、それが有益である場合に、ＳＲＢ３をセットアップすることを依然として決定しうる。
【００６３】
同様に、種々の実施形態では、ＤＣをセットアップ又は再設定する際に、関与するＣＵは、例えば、ＤＣに関与する２つのＤＵが異なるＣＵによって制御されるかどうかを含む、種々の要因に基づいて、ＳＣＧスプリットベアラ（即ち、ＳＮからのスプリットＵＰベアラ、又はＤＲＢ）をセットアップするかどうかを決定しうる。いくつかの実施形態では、単一のＣＵが、関与する両方のＤＵ（例えば、図５Ｃに示されるＣＵ内ＮＲ−ＤＣ）を制御する場合であっても、ＣＵは、それが有益である場合に、ＳＣＧスプリットベアラをセットアップすることを依然として決定しうる。更に、ＳＣＧスプリットベアラをセットアップするかどうかに関するＣＵの決定は、ＳＲＢ３をセットアップするかどうかの決定とは独立して行われうるとともに、逆もまた同様である。例えば、ＣＵは、関与する両方のＤＵを制御する場合であっても、スプリットＳＲＢをセットアップすることを決定しうるが、２つのＤＵが異なるＣＵによって制御される場合にのみ、スプリットＤＲＢをセットアップしうる。
【００６４】
同様に、種々の実施形態では、ＤＣをセットアップ又は再設定する際に、関与するＣＵは、例えば、ＤＣに関与する２つのＤＵが異なるＣＵによって制御されるかどうかを含む、種々の要因に基づいて、ＳＣＧスプリットベアラ（即ち、ＳＮからのＵＰベアラ、又はＤＲＢ）をセットアップするかどうかを決定しうる。いくつかの実施形態では、単一のＣＵが、関与する両方のＤＵ（例えば、図５Ｃに示されるＣＵ内ＮＲ−ＤＣ）を制御する場合であっても、ＣＵは、それが有益である場合に、ＳＣＧベアラをセットアップすることを依然として決定しうる。更に、ＳＣＧベアラをセットアップするかどうかに関するＣＵの決定は、ＳＲＢ３及び／又はＳＣＧスプリットベアラをセットアップするかどうかの決定とは独立して行われうるとともに、逆もまた同様である。例えば、２つのＤＵが同じＣＵによって制御されるときに、ＣＵがＳＣＧベアラをセットアップしないと決定する場合、そのＣＵは、第２のＤＵに属するＳＣｅｌｌを使用するためにスプリットベアラをセットアップすることを、独立して決定しうる。
【００６５】
ＬＴＥ／ＮＲには、異なるノードにおいて終端されたベアラと同じセキュリティキーとの関連付けを防止するセキュリティ要求条件がある。ＣＵ内ＤＣの場合、ＰＤＣＰエンティティが１つのＣＵで終端されるので、ＭＣＧ、ＳＣＧ、又はスプリットベアラのいずれであっても、セットアップされるべき全てのベアラに対して同じキーが使用されうる。ただし、このＣＵは、異なるタイプのベアラに対して異なるキーを設定してもよい。例示的な一実施形態では、ＣＵは、ＥＮ−ＤＣで使用されるＳ−ＫｇＮＢと同等のものを生成し、そのキーを、ＳＣＧベアラと見なされうるＤＵ２のＳＣｅｌｌを使用しているベアラと関連付けうる。
【００６６】
図１８は、本開示の種々の例示的な実施形態による、複数の分散ユニット（ＤＵ）を介して通信するようにユーザ装置（ＵＥ）を設定するための例示的な方法及び／又は手順を示すフローチャートである。図１８に示される例示的な方法及び／又は手順は、無線アクセスネットワーク（ＲＡＮ、例えば、ＮＧ−ＲＡＮ、Ｅ−ＵＴＲＡＮ等）内の基地局（例えば、ｇＮＢ、ｅｎ−ｇＮＢ、ｅＮＢ、ｎｇ−ｅＮＢ等）の第１の集約ユニット（ＣＵ）によって実行されうる。 例えば、例示的な方法及び／又は手順は、本明細書において他の図に示される、又はそれに関連して説明されるＣＵによって実行されうる。更に、以下に説明されるように、図１８に示される例示的な方法及び／又は手順は、本明細書に記載の種々の例示的な利点を提供するために、（以下に記載される）図１９に示される例示的な方法及び／又は手順と協働して利用されうる。加えて、図１８は特定の順序でブロックを示しているが、この順序は単に例示的なものであり、例示的な方法及び／又は手順の動作は、図１８に示されるものとは異なる順序で実行されてもよく、組み合わされてもよいし、異なる機能を有するブロックに分割されてもよいし、又はその両方であってもよい。オプションの動作は破線によって表さされている。
【００６７】
図１８に示される例示的な方法及び／又は手順は、ブロック１８１０の動作を含みうる。当該ブロックにおいて、第１のＣＵは、第１のＤＵを介してＵＥと通信するために第１の無線リソース制御（ＲＲＣ）エンティティを起動しうる。いくつかの実施形態では、例示的な方法及び／又は手順は更に、ブロック１８２０の動作を含みうる。当該ブロックにおいて、第１のＣＵは、第１のＤＵを介してＵＥとの第１の無線ベアラを確立しうる。第１の無線ベアラは、第１のＲＲＣエンティティと関連付けられたシグナリング無線ベアラ（ＳＲＢ）でありうる。
【００６８】
いくつかの実施形態では、例示的な方法及び／又は手順は更に、ブロック１８３０の動作を含みうる。当該ブロックにおいて、第１のＣＵは、第１の無線ベアラを介してＵＥから、１つ以上の更なるＤＵに関する無線測定値を受信しうる。例示的な方法及び／又は手順は更に、ブロック１８４０の動作を含みうる。当該ブロックにおいて、第１のＣＵは、第１のＤＵとともにデュアルコネクティビティ（ＤＣ）設定でＵＥと通信するために第２のＤＵを選択しうる。いくつかの実施形態では、第２のＤＵは、（例えば、ブロック１８３０で受信された）無線測定値に基づいて、１つ以上の更なるＤＵから選択されうる。いくつかの実施形態では、第１のＤＵ及び第２のＤＵは、ＵＥと通信するために異なる無線アクセス技術を利用するように構成されうる。
【００６９】
例示的な方法及び／又は手順は更に、ブロック１８５０の動作を含みうる。当該ブロックにおいて、第１のＣＵは、選択された第２のＤＵが第１のＣＵと関連付けられているかどうかに基づいて、第２のＤＵを介してＵＥと通信するために第１のＣＵ内で第２のＲＲＣエンティティを起動するかどうかを決定しうる。いくつかの実施形態では、ブロック１８５０の動作は更に、サブブロック１８５２の動作を含みうる。当該ブロックにおいて、第１のＣＵは、選択された第２のＤＵが第１のＣＵと関連付けられているかどうかに基づいて、第２のＤＵを介してＵＥとの１つ以上の更なる無線ベアラを確立するかどうかを決定しうる。
【００７０】
いくつかの種々の実施形態では、１つ以上の更なる無線ベアラは、第２のＳＲＢと、第１のＳＲＢについてのスプリットベアラと、第１のＤＵを通じて確立された既存のデータ無線ベアラ（ＤＲＢ）についてのスプリットベアラと、１つ以上の更なるＤＲＢと、のうちの少なくとも１つを含みうる。
【００７１】
いくつかの実施形態では、１つ以上の更なる無線ベアラは、第２のＳＲＢと、第１のＳＲＢについてのスプリットベアラと、のうちの１つを含む第１の更なる無線ベアラ、及び、第１のＤＵを通じて確立された既存のデータ無線ベアラ（ＤＲＢ）についてのスプリットベアラと、１つ以上の更なるＤＲＢと、のうちの１つを含む第２の更なる無線ベアラ、を含みうる。そのような実施形態において、ブロック１８５０の決定動作は、２つの独立した動作、即ち、第１の更なる無線ベアラを確立すべきかどうかを決定することと、第２の更なる無線ベアラを確立すべきかどうかを決定することとを含みうる。
【００７２】
いくつかの実施形態では、例示的な方法及び／又は手順は更に、ブロック１８６０の動作を含みうる。当該ブロックにおいて、第１のＣＵは、ブロック１８５０で決定されるように、第２のＤＵが第１のＣＵと関連付けられている場合に、１つ以上の動作を実行しうる。いくつかの実施形態では、ブロック１８６０における動作はサブブロック１８６１を含みうる。当該サブブロックにおいて、第１のＣＵは、第１のＣＵ内で第２のＲＲＣエンティティを起動しうる。いくつかの実施形態では、ブロック１８６０における動作はサブブロック１８６２を含みうる。当該サブブロックにおいて、第１のＣＵは、第２のＲＲＣエンティティに関連して第２のＳＲＢを確立しうる。
【００７３】
いくつかの実施形態では、ブロック１８６０における動作はサブブロック１８６３を含みうる。当該サブブロックにおいて、第１のＣＵは、第２のＲＲＣエンティティと関連付けられたカプセル化されたＲＲＣメッセージを含む、第１のＲＲＣエンティティと関連付けられたＲＲＣメッセージを、第１のＤＵを介してＵＥへ送信しうる。いくつかの実施形態では、ブロック１８６０における動作はサブブロック１８６４を含みうる。当該サブブロックにおいて、第１のＣＵは、第１の無線ベアラとも関連付けられているセキュリティキーに関連して１つ以上の更なる無線ベアラを確立しうる。
【００７４】
いくつかの実施形態では、ブロック１８６０における動作はサブブロック１８６５を含みうる。当該サブブロックにおいて、第１のＣＵは、１つ以上の更なる無線ベアラに関係する１つ以上のコンテキストセットアップメッセージを、第２のＤＵへ送信しうる。そのような実施形態において、１つ以上のコンテキストセットアップメッセージは、ＵＥの１つ以上の能力と、キャリアアグリゲーションに使用可能な１つ以上のセルのリストと、無線測定値の少なくとも一部と、第２のＤＵによって使用される測定設定と、１つ以上の更なる無線ベアラに関する情報と、のうちの少なくとも１つを含みうる。
【００７５】
いくつかの実施形態では、第１の更なる無線ベアラは、第１のＳＲＢについてのスプリットベアラであってもよく、第２の更なる無線ベアラは、第１のＤＵを通じて確立された既存のＤＲＢについてのスプリットベアラであってもよい。そのような実施形態において、ブロック１８６０における動作は、第１のＣＵが、第１のＳＲＢについてのスプリットベアラを確立しうるサブブロック１８６６と、第１のＣＵが、既存のＤＲＢについてのスプリットベアラを確立することを控えうるサブブロック１８６７と、を含みうる。
【００７６】
いくつかの実施形態では、例示的な方法及び／又は手順は更に、ブロック１８７０の動作を含みうる。当該ブロックにおいて、第１のＣＵは、（例えば、ブロック１８５０において決定されるように）第２のＤＵが第１のＣＵと関連付けられていない場合に、第２のＤＵを介して１つ以上の更なる無線ベアラを確立することを求める要求を送信しうる。この要求は、上述したように、Ｘｎインタフェースを介して第２のＣＵへ送信されうる。
【００７７】
図１９は、本開示の種々の例示的な実施形態による、無線アクセスネットワーク（ＲＡＮ）内の複数の分散ユニット（ＤＵ）を介してユーザ装置（ＵＥ）が通信するための例示的な方法及び／又は手順を示すフローチャートである。図１９に示される例示的な方法及び／又は手順は、ＲＡＮ内で動作するＵＥ（例えば、無線デバイス、ＩｏＴデバイス、モデム等、又はそれらのコンポーネント）によって実行されうる。例えば、例示的な方法及び／又は手順は、本明細書において他の図に示される、又はそれに関連して説明されるＵＥによって実行されうる。更に、以下に説明されるように、図１９に示される例示的な方法及び／又は手順は、本明細書に記載の種々の例示的な利点を提供するために、（上記の）図１８に示される例示的な方法及び／又は手順と協働して利用されうる。加えて、図１９は特定の順序でブロックを示しているが、この順序は単に例示的なものであり、例示的な方法及び／又は手順の動作は、図１９に示されるものとは異なる順序で実行されてもよく、組み合わされてもよいし、異なる機能を有するブロックに分割されてもよいし、又はその両方であってもよい。オプションの動作は破線によって表さされている。
【００７８】
図１９に示される例示的な方法及び／又は手順は、ブロック１９１０の動作を含みうる。当該ブロックにおいて、ＵＥは、第１の分散ユニット（ＤＵ）を介して第１の集約ユニット（ＣＵ）内の対応する第１のＲＲＣエンティティと通信するために第１の無線リソース制御（ＲＲＣ）エンティティを起動しうる。例えば、第１のＤＵは、第１のＣＵと関連付けられうる。いくつかの実施形態では、例示的な方法及び／又は手順は更に、ブロック１９２０の動作を含みうる。当該ブロックにおいて、ＵＥは、第１のＤＵを介して第１のＣＵとの第１の無線ベアラを確立しうる。第１の無線ベアラは、第１のＲＲＣエンティティと関連付けられた第１のシグナリング無線ベアラ（ＳＲＢ）でありうる。いくつかの実施形態では、例示的な方法及び／又は手順は更に、ブロック１９３０の動作を含みうる。当該ブロックにおいて、ＵＥは、第１の無線ベアラを介して第１のＣＵへ、１つ以上の更なるＤＵに関する無線測定値を送信しうる。
【００７９】
例示的な方法及び／又は手順は更に、ブロック１９４０の動作を含みうる。当該ブロックにおいて、ＵＥは、第１のＣＵ内の第１のＲＲＣエンティティから、第１のＣＵ内の第２のＲＲＣエンティティと関連付けられたカプセル化されたＲＲＣメッセージを含む少なくとも１つのメッセージを受信しうる。カプセル化されたＲＲＣメッセージは、第１のＣＵと関連付けられた第２のＤＵに関する情報も含みうる。いくつかの実施形態では、第２のＤＵは、（例えば、ブロック１９３０において）ＵＥが更なるＤＵについての無線測定値を送信した当該更なるＤＵのうちの１つでありうる。いくつかの実施形態では、第１のＤＵ及び第２のＤＵは、ＵＥと通信するために異なる無線アクセス技術を利用しうるとともに、逆もまた同様である。
【００８０】
例示的な方法及び／又は手順は更に、ブロック１９５０の動作を含みうる。当該ブロックにおいて、ＵＥは、第２のＤＵを介して第１のＣＵ内の第２のＲＲＣエンティティと通信するためにＵＥ内で第２のＲＲＣエンティティを起動しうる。いくつかの実施形態では、例示的な方法及び／又は手順は更に、ブロック１９６０の動作を含みうる。当該ブロックにおいて、ＵＥは、第２のＤＵを介して第１のＣＵとの１つ以上の更なる無線ベアラを確立しうる。いくつかの種々の実施形態では、１つ以上の更なる無線ベアラは、第２のＳＲＢと、第１のＳＲＢについてのスプリットベアラと、第１のＤＵを通じて確立された既存のデータ無線ベアラ（ＤＲＢ）についてのスプリットベアラと、１つ以上の更なるＤＲＢと、のうちの１つを含みうる。
【００８１】
いくつかの実施形態では、１つ以上の更なる無線ベアラは第２のＳＲＢを含みうる。そのような実施形態では、ＵＥ内の第２のＲＲＣエンティティは、第２のＳＲＢを介してＣＵ内の第２のＲＲＣエンティティと通信しうる。いくつかの実施形態では、１つ以上の更なる無線ベアラは、第１の無線ベアラにも関連付けられたセキュリティキーに関連して（例えば、動作１９６０において）確立されうる。
【００８２】
図６は、上述の例示的な方法のいずれかを実行するために使用可能な種々のデバイス及び／又はシステムを含む、セルラ通信システム及び／又はネットワークの一例を示す。本明細書に記載の実施形態では、セルラ通信ネットワーク６００は５Ｇ ＮＲネットワークである。この例では、セルラ通信ネットワーク６００は、ＬＴＥではｅＮＢと称され、５Ｇ ＮＲではｇＮＢと称される基地局６０２−１及び６０２−２を含み、これらは対応するマクロセル６０４−１及び６０４−２を制御する。基地局６０２−１及び６０２−２は、本明細書では集合的に基地局６０２と一般的に称されるとともに、個別に基地局６０２と称される。マクロセル６０４−１及び６０４−２は、本明細書では集合的にマクロセル６０４と一般的に称されるとともに、個別にマクロセル６０４と称される。セルラ通信ネットワーク６００は、対応するスモールセル６０８−１〜６０８−４を制御するいくつかの低電力ノード６０６−１〜６０６−４も含む。低電力ノード６０６−１〜６０６−４は、スモール基地局（ピコ又はフェムト基地局等）又はリモートラジオヘッド（ＲＲＨ）等であってもよい。特に、図示されていないが、スモールセル６０８−１〜６０８−４の１つ以上は、基地局６０２によって代替的に提供されてもよい。低電力ノード６０６−１〜６０６−４は、本明細書では集合的に低電力ノード６０６と称されるとともに、個別に低電力ノード６０６と称される。スモールセル６０８−１〜６０８−４は、本明細書では集合的にスモールセル６０８と一般的に称されるとともに、個別にスモールセル６０８と称される。基地局６０２（及びオプションとして低電力ノード６０６）は、コアネットワーク６６０に接続されている。
【００８３】
基地局６０２及び低電力ノード６０６は、対応するセル６０４及び６０８内の無線デバイス６１２−１〜６１２−５にサービスを提供する。無線デバイス６１２−１〜６１２−５は、本明細書では集合的に無線デバイス６１２と一般的に称されるとともに、個別に無線デバイス６１２と称される。無線デバイス６１２は、本明細書ではＵＥと称されることもある。無線デバイス６１２は、ＭＴＣ及び／又はＮＢ−ＩｏＴと互換性のあるものを含む種々の形態をとりうる。
【００８４】
図７は、本開示の種々の実施形態による他の例示的な通信システム及び／又はネットワークを示す。当該システムは、３ＧＰＰタイプのセルラネットワーク等の通信ネットワーク７４０を含み、当該通信ネットワークは、ｇＮＢ−ＲＡＮ等のアクセスネットワーク７４１と、コアネットワーク７４４（例えば、５ＧＣ）とを含む。アクセスネットワーク７４１は、それぞれ対応するカバレッジエリア７４３ａ，７４３ｂ，７４３ｃを規定する、ＮＢ、ｅＮＢ、ｇＮＢ、又はその他のタイプの無線アクセスポイント等の複数の基地局７４２ａ，７４２ｂ，７４２ｃを備える。各基地局７４２ａ，７４２ｂ，７４２ｃは、有線又は無線コネクション７４５を介してコアネットワーク７４４に接続可能である。カバレッジエリア７４３ｃに位置する第１のユーザ装置（ＵＥ）７９１は、対応する基地局７４２ｃに無線で接続する、又は当該基地局によってページングされるように構成される。カバレッジエリア７４３ａ内の第２のＵＥ７９２は、対応する基地局７４２ａに無線で接続可能である。この例では、複数のＵＥ７９１，７９２が示されているが、開示された実施形態は、単一のＵＥがカバレッジエリア内にある状況、又は単一のＵＥが対応する基地局７４２に接続している状況にも同様に適用可能である。
【００８５】
通信ネットワーク７４０自体は、ホストコンピュータ７３０に接続され、当該ホストコンピュータは、独立型サーバ、クラウド実装型サーバ、分散型サーバのハードウェア及び／又はソフトウェアで、又はサーバファーム内の処理リソースとして実施されうる。ホストコンピュータ７３０は、サービスプロバイダの所有であっても制御下にあってもよく、又は、サービスプロバイダによって又はサービスプロバイダの代わりに操作されてもよい。通信ネットワーク７４０とホストコンピュータ７３０との間のコネクション７２１，７２２は、コアネットワーク７４４からホストコンピュータ７３０に直接延びていてもよいし、オプションの中間ネットワーク７２０を介して延びていてもよい。中間ネットワーク７２０は、パブリックネットワーク、プライベートネットワーク、又はホストネットワークのうちの１つ以上の組合せであってもよく、中間ネットワーク７２０は、もしあれば、バックボーンネットワーク又はインターネットであってもよく、特に、中間ネットワーク７２０は、２つ以上のサブネットワーク（図示せず）を含んでもよい。
【００８６】
図７Ｂの通信システムは、全体として、接続されたＵＥ７９１，７９２のうちの１つとホストコンピュータ７３０との間の接続性を与える。当該接続性は、オーバー・ザ・トップ（ＯＴＴ：over-the-top）コネクション７５０として説明されうる。ホストコンピュータ７３０及び接続されたＵＥ７９１，７９２は、アクセスネットワーク７４１、コアネットワーク７４４、任意の中間ネットワーク７２０、及び可能性のある更なるインフラストラクチャ（図示せず）を媒介として使用して、ＯＴＴコネクション７５０を介してデータ及び／又はシグナリングを通信するように構成される。ＯＴＴコネクション７５０は、ＯＴＴコネクション７５０が通過する参加通信デバイスが、アップリンク通信及びダウンリンク通信のルーティングに気付かないという意味で、トランスペアレントでありうる。例えば、基地局７４２は、接続されたＵＥ７９１に転送される（例えば、ハンドオーバされる）ホストコンピュータ７３０から発信されたデータを有する、到着するダウンリンク通信の過去のルーティングについて通知されてなくてもよく、又は通知される必要がなくてもよい。同様に、基地局７４２は、ＵＥ７９１からホストコンピュータ７３０へ向かう、発信されるアップリンク通信の将来のルーティングを知っている必要はない。
【００８７】
図８を参照して、本明細書で説明されるＷＤ２２、ネットワークノード１６及びホストコンピュータ２４の実施形態による実装例について以下で更に説明されうる。通信システム８００において、ホストコンピュータ８１０は、通信システム８００の、異なる通信デバイスのインタフェースとの有線又は無線接続をセットアップ及び維持するように構成された通信インタフェース８１６を含むハードウェア８１５を備える。ホストコンピュータ８１０は、ストレージ能力及び／又は処理能力を有しうる処理回路８１８を更に備える。具体的には、処理回路８１８は、命令を実行するように適合された１つ以上のプログラマブルプロセッサ、特定用途向け集積回路、フィールドプログラマブルゲートアレイ、又はこれらの組み合わせ（図示せず）を備えうる。ホストコンピュータ８１０は、ホストコンピュータ８１０内に格納された又はホストコンピュータ９１０がアクセス可能である、かつ、処理回路８１８によって実行可能であるソフトウェア８１１を更に備える。ソフトウェア８１１は、クライアントアプリケーション８１２を含む。ホストアプリケーション８１２は、ＵＥ８３０及びホストコンピュータ８１０で終端するＯＴＴコネクション８５０を介して接続するＵＥ８３０等のリモートユーザにサービスを提供するように動作可能でありうる。サービスをリモートユーザに提供する際に、ホストアプリケーション８１２は、ＯＴＴコネクション８５０を使用して送信されるユーザデータを提供しうる。
【００８８】
通信システム８００は更に、通信システム内に設けられ、かつ、ホストコンピュータ８１０及びＵＥ８３０と通信することを可能にするハードウェア８２５を備える基地局８２０を含む。ハードウェア８２５は、通信システム８００の、異なる通信デバイスのインタフェースとの有線又は無線コネクションをセットアップ及び維持するための通信インタフェース８２６と、基地局８２０によってサービスが行われるカバレッジエリア（図８には図示せず）内に位置するＵＥ８３０との少なくとも無線コネクション８７０をセットアップ及び維持するための無線インタフェース８２７とを含みうる。通信インタフェース８２６は、ホストコンピュータ８１０へのコネクション８６０を容易にするように構成されうる。コネクション８６０は、直接的であってもよいし、通信システムのコアネットワーク（図８には図示せず）及び／又は通信システムの外部の１つ以上の中間ネットワークを通過してもよい。図示された実施形態では、基地局８２０のハードウェア８２５は、命令を実行するように適合された１つ以上のプログラマブルプロセッサ、特定用途向け集積回路、フィールドプログラマブルゲートアレイ、又はこれらの組み合わせ（図示せず）を備えうる処理回８２８を更に含む。基地局８２０は、内部に格納されるか又は外部接続を介してアクセス可能なソフトウェア８２１を更に有する。
【００８９】
通信システム８００は、既に言及したＵＥ８３０を更に含む。そのハードウェア８３５は、ＵＥ８３０が現在位置しているカバレッジエリアにサービスを行う基地局との無線コネクション８７０をセットアップ及び維持するように構成された無線インタフェース８３７を含みうる。ＵＥ８２０のハードウェア８３５は、命令を実行するように適合された１つ以上のプログラマブルプロセッサ、特定用途向け集積回路、フィールドプログラマブルゲートアレイ、又はこれらの組み合わせ（図示せず）を備えうる処理回８３８を更に含む。ＵＥ８３０は、ＵＥ８３０内に格納された又はＵＥ９３０がアクセス可能である、かつ、処理回路８３８によって実行可能であるソフトウェア８３１を更に備える。ソフトウェア８３１は、クライアントアプリケーション８３２を含む。クライアントアプリケーション８３２は、ホストコンピュータ８１０のサポートにより、ＵＥ８３０を介して人間の又は人間以外のユーザにサービスを提供するように動作可能でありうる。ホストコンピュータ８１０において、実行中のホストアプリケーション８１２は、ＵＥ８３０及びホストコンピュータ８１０で終端するＯＴＴコネクション８５０を介して、実行中のクライアントアプリケーション８３２と通信しうる。ユーザにサービスを提供する際、クライアントアプリケーション８３２は、ホストアプリケーション８１２から要求データを受信し、当該要求データに応じてユーザデータを提供しうる。ＯＴＴコネクション８５０は、要求データ及びユーザデータの両方を転送しうる。クライアントアプリケーション８３２は、それが提供するユーザデータを生成するためにユーザとインタラクションしうる。
【００９０】
図８に示されるホストコンピュータ８１０、基地局８２０、及びＵＥ８３０は、それぞれ、図７のホストコンピュータ７３０、基地局７１２ａ，７１２ｂ，７１２ｃのうちの１つ、及びＵＥ７９１，７９２のうちの１つと、類似又は同一でありうることに留意されたい。即ち、これらのエンティティの内部動作は、図８に示されるようなものであってもよく、独立して、周囲のネットワークトポロジは図７のものであってもよい。
【００９１】
図８では、あらゆる中間デバイス及びそれらのデバイスを介したメッセージの正確なルーティングに明示的に言及することなく、ＯＴＴコネクション８５０が、基地局８２０を介したホストコンピュータ８１０とＵＥ８３０との間の通信を示すために抽象的に描かれている。ネットワークインフラストラクチャは、ＵＥ８３０から若しくはホストコンピュータ８１０を操作するサービスプロバイダから、又はその両方から隠すように構成されうるルーティングを決定しうる。ＯＴＴコネクション８５０がアクティブである間に、ネットワークインフラストラクチャは、（例えば、負荷の考慮又はネットワークの再設定に基づいて）ルーティングを動的に変更する決定を更に行いうる。
【００９２】
ＵＥ８３０と基地局８２０との間の無線コネクション８７０は、本開示全体にわたって説明される実施形態の教示に従う。様々な実施形態のうちの１つ以上は、無線コネクション８７０が最後のセグメントを形成するＯＴＴコネクション８５０を使用してＵＥ８３０に提供されるＯＴＴサービスの性能を改善しうる。例えば、実施形態は、２つのＲＲＣインスタンスがネットワーク内においてどこで終端されているかにかかわらず、デュアルＲＲＣインスタンスを扱うための、統一され、かつ、一貫したＵＥ動作を容易にすることが可能である。その結果、この特定の改善は、ＵＥに必要とされる実装及びテストの労力を低減し、これにより、デュアルＲＲＣサポートについてのより早期の市場導入が容易になる。２つのＲＲＣインスタンスを使用する能力は、デュアルコネクティビティ（ＤＣ）の性能を改善し、これは、ＲＡＮのユーザに対して、より良好な及び／又はより一貫したスループット、及び／又は低減された遅延をもたらすことができる。
【００９３】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ８１０とＵＥ８３０との間のＯＴＴコネクション８５０を再設定するためのオプションのネットワーク機能があってもよい。ＯＴＴコネクション８５０を再設定するための測定手順及び／又はネットワーク機能は、ホストコンピュータ８１０のソフトウェア８１１、又はＵＥ８３０のソフトウェア８３１、又はその両方で実装されうる。いくつかの実施形態では、センサ（図示せず）が、ＯＴＴコネクション８５０が通過する通信デバイスに配置されうるか又はそれに関連して配置されうる。当該センサは、上記で例示された、モニタリングされた量の値を供給することによって、又はソフトウェア８１１，８３１が当該モニタリングされた量を他の物理量の値から計算又は推定しうる、当該他の物理量の値を供給することによって、測定手順に関与しうる。ＯＴＴコネクション８５０の再設定は、メッセージフォーマット、再送設定、好ましいルーティング等を含んでもよく、当該再設定は、基地局８２０に影響を与える必要はなく、基地局８２０には未知であるか又は感知できなくてもよい。そのような手順及び機能は、当該分野では既知でありうるとともに実践されうる。特定の実施形態では、測定は、ホストコンピュータ８１０の、スループット、伝搬時間、レイテンシ等の測定を容易にする、独自のＵＥシグナリングを含みうる。測定は、ソフトウェア８１１，８３１が、伝搬時間、エラー等をモニタリングしながら、ＯＴＴコネクション８５０を使用して、メッセージ（特に、空のメッセージ又は「ダミー」メッセージ）を送信させることで実行されうる。
【００９４】
図９は、一実施形態による、通信システムにおいて実行される方法を示すフローチャートである。通信システムは、図７及び図８を参照して説明されうるホストコンピュータ、基地局、及びＵＥを含む。本開示を簡単にするために、図９に対する図面の言及のみがこのセクションに含まれる。本方法の第１のステップ９１０で、ホストコンピュータがユーザデータを提供する。第１のステップ９１０の、オプションであるサブステップ９１１で、ホストコンピュータが、ホストアプリケーションを実行することによってユーザデータを提供する。第２のステップ９２０で、ホストコンピュータが、ＵＥへのユーザデータを搬送する送信を開始する。オプションである第３のステップ９３０で、基地局が、本開示全体にわたって説明される実施形態の教示に従って、ホストコンピュータが開始した送信で搬送されたユーザデータをＵＥへ送信する。オプションである第４のステップ９４０で、ＵＥが、ホストコンピュータによって実行されるホストアプリケーションと関連付けられたクライアントアプリケーションを実行する。
【００９５】
図１０は、一実施形態による、通信システムにおいて実行される方法を示すフローチャートである。通信システムは、図７及び図８を参照して説明されうるホストコンピュータ、基地局、及びＵＥを含む。本開示を簡単にするために、図１０に対する図面の言及のみがこのセクションに含まれる。本方法の第１のステップ１０１０で、ホストコンピュータがユーザデータを提供する。オプションのサブステップ（図示せず）で、ホストコンピュータが、ホストアプリケーションを実行することによってユーザデータを提供する。第２のステップ１０２０で、ホストコンピュータが、ＵＥへのユーザデータを搬送する送信を開始する。当該送信は、本開示全体にわたって説明される実施形態の教示に従って、基地局を通過しうる。オプションである第３のステップ１１３０で、ＵＥは、当該送信で搬送されたユーザデータを受信する。
【００９６】
図１１は、一実施形態による、通信システムにおいて実行される方法を示すフローチャートである。通信システムは、図７及び図８を参照して説明されうるホストコンピュータ、基地局、及びＵＥを含む。本開示を簡単にするために、図１１に対する図面の言及のみがこのセクションに含まれる。本方法の、オプションである第１のステップ１１１０で、ＵＥは、ホストコンピュータによって提供された入力データを受信する。追加的に又は代替的に、オプションである第２のステップ１１２０で、ＵＥは、ユーザデータを提供する。第２のステップ１１２０の、オプションであるサブステップ１１２１で、ホストコンピュータが、ホストアプリケーションを実行することによってユーザデータを提供する。第１のステップ１１１０の、オプションであるサブステップ１１１１で、ＵＥが、ホストコンピュータによって提供された受信入力データに応答してユーザデータを提供するクライアントアプリケーションを実行する。ユーザデータを提供する際に、実行されるクライアントアプリケーションは、ユーザから受け付けたユーザ入力を更に考慮してもよい。ユーザデータが提供された特定の方法にかかわらず、ＵＥは、オプションである第３のサブステップ１１３０で、ユーザデータのホストコンピュータへの送信を開始する。本方法の第４のステップ１１４０で、ホストコンピュータが、本開示全体にわたって説明される実施形態の教示に従って、ＵＥから送信されたユーザデータを受信する。
【００９７】
図１２は、一実施形態による、通信システムにおいて実行される方法を示すフローチャートである。通信システムは、図７及び図８を参照して説明されうるホストコンピュータ、基地局、及びＵＥを含む。本開示を簡単にするために、図１２に対する図面の言及のみがこのセクションに含まれる。オプションである第１のステップ１２１０で、本開示全体にわたって説明される実施形態の教示に従って、基地局が、ＵＥからユーザデータを受信する。オプションである第２のステップ１２２０で、基地局が、受信したユーザデータのホストコンピュータへの送信を開始する。オプションである第３のステップ１２３０で、ホストコンピュータは、基地局によって開始された送信で搬送されたユーザデータを受信する。
【００９８】
図１３は、本開示のいくつかの実施形態に係る無線アクセスノード１３００の概略的なブロック図である。無線アクセスノード１３００は、例えば、基地局１０２又は１０６でありうる。図示されるように、無線アクセスノード１３００は、１つ以上のプロセッサ１３０４（例えば、中央処理装置（ＣＰＵ）、特定用途向け集積回路（ＡＳＩＣ）、及び／又はフィールドプログラマブルゲートアレイ（ＦＰＧＡ）等）、メモリ１３０６、及びネットワークインタフェース１３０８を含む制御システム１３０２を含む。また、無線アクセスノード１３００は、１つ以上のアンテナ１３１６に結合された１つ以上の送信機１３１２及び１つ以上の受信機１３１４をそれぞれ含む、１つ以上の無線ユニット１３１０を含む。いくつかの実施形態では、（複数の）無線ユニット１３１０は、制御システム１３０２の外部にあり、例えば有線接続（例えば光ケーブル）を介して制御システム１３０２に接続される。しかし、いくつかの他の実施形態では、（複数の）無線ユニット１３１０及び潜在的には（複数の）アンテナ１３１６は、制御システム１３０２と一緒に統合される。１つ以上のプロセッサ１３０４は、本明細書で説明される無線アクセスノード１３００の１つ以上の機能を提供するように動作する。いくつかの実施形態では、（複数の）機能が、例えばメモリ１３０６に格納され、かつ、１つ以上のプロセッサ１３０４によって実行されるソフトウェアで実装される。
【００９９】
図１４は、本開示のいくつかの実施形態に係る無線アクセスノード１３００の仮想化された実施形態を示す概略的なブロック図である。この説明は、他のタイプのネットワークノードにも同様に適用可能である。更に、他のタイプのネットワークノードも、同様の仮想化アーキテクチャを有しうる。
【０１００】
本明細書で使用される「仮想化」無線アクセスノードは、無線アクセスノード１３００の機能の少なくとも一部が（例えば、（複数の）ネットワーク内の（複数の）物理処理ノードで実行されている（複数の）仮想マシンを介して）（複数の）仮想コンポーネントとして実装された無線アクセスノード１３００の実装である。図示されるように、この例では、無線アクセスノード１３００は、上述のように、１つ以上のプロセッサ１３０４（例えば、ＣＰＵ、ＡＳＩＣ、及び／又はＦＰＧＡ等）、メモリ１３０６、及びネットワークインタフェース１３０８を含む制御システム１３０２と、１つ以上のアンテナ１３１６に結合された１つ以上の送信機１３１２及び１つ以上の受信機１３１４をそれぞれ含む１つ以上の無線ユニット１３１０とを含む。制御システム１３０２は、例えば光ケーブル等を介して（複数の）無線ユニット１３１０に接続される。制御システム１３０２は、ネットワークインタフェース１３０８を介して（複数の）ネットワーク１４０２に結合されるか又は（複数の）ネットワーク９０２の一部として含まれる１つ以上の処理ノード１４００に接続される。各処理ノード１４００は、１つ以上のプロセッサ１４１４（例えば、ＣＰＵ、ＡＳＩＣ、及び／又はＦＰＧＡ等）、メモリ１４０６、及びネットワークインタフェース１４０８を含む。
【０１０１】
この例では、本明細書で説明される無線アクセスノード１３００の機能１４１０は、１つ以上の処理ノード１４００で実施されるか、又は所望の方法で制御システム１３０２及び１つ以上の処理ノード１４００にわたって分散される。いくつかの特定の実施形態では、本明細書で説明される無線アクセスノード１３００の機能１４１０の一部又は全てが、（複数の）処理ノード１４００によってホストされる（複数の）仮想環境に実装される１つ以上の仮想マシンによって実行される仮想コンポーネントとして実装される。当業者によって理解されるように、所望の機能１４１０の少なくともいくつかを実行するために、（複数の）処理ノード１４００と制御システム１３０２との間の追加のシグナリング又は通信が使用される。とりわけ、いくつかの実施形態では、制御システム１３０２は含まれなくてもよく、その場合、（複数の）無線ユニット１３１０が、適切な（複数の）ネットワークインタフェースを介して（複数の）処理ノード１４００と直接通信する。
【０１０２】
いくつかの実施形態では、メモリ１４０６はコンピュータプログラムプロダクト（ＣＰＰ）１４０７を含んでよく、少なくとも１つのプロセッサによって実行されると、当該少なくとも１つのプロセッサに、本明細書で説明される実施形態のいずれかに係る仮想環境における無線アクセスノード１３００の１つ以上の機能１４１０の機能を実装する無線アクセスノード１３００又はノード（例えば、処理ノード１４００）の機能を実行させる命令を含むコンピュータプログラムプロダクトが提供される。いくつかの実施形態では、前述のコンピュータプログラムプロダクトを含むキャリアが提供される。キャリアは、電子信号、光信号、無線信号、又はコンピュータ読み取り可能な記憶媒体（メモリ等の非一時的なコンピュータ読み取り可能媒体）のいずれかである。
【０１０３】
図１５は、本開示のいくつかの他の実施形態に係る無線アクセスノード１３００の概略的なブロック図である。無線アクセスノード１３００は、１つ以上のモジュール５００を含み、各モジュールはソフトウェアで実装される。（複数の）モジュール５００は、本明細書で説明される無線アクセスノード１３００の機能を提供する。この説明は、モジュール５００が処理ノード１４００の１つで実装されるか又は複数の処理ノード１４００に分散される、及び／又は（複数の）処理ノード１４００及び制御システム１３０２に分散される、図１４の処理ノード１４００に等しく適用可能である。
【０１０４】
図１６は、本開示のいくつかの実施形態に係るＵＥ１６００の概略的なブロック図である。図示されるように、ＵＥ１６００は、１つ以上のプロセッサ１６０２（例えば、ＣＰＵ、ＡＳＩＣ、及び／又はＦＰＧＡ等）、メモリ１６０４、並びに、１つ以上のアンテナ１６１２に結合された１つ以上の送信機１６０８及び１つ以上の受信機１６１０をそれぞれ含む、１つ以上の送受信機１６０６を含む。いくつかの実施形態では、上述のＵＥ１６００の機能は、例えばメモリ１６０４に格納され、（複数の）プロセッサ１６０２により実行されるソフトウェアで完全に又は部分的に実装されうる。
【０１０５】
いくつかの実施形態では、メモリ１４０４はコンピュータプログラムプロダクト（ＣＰＰ）１６０７を含んでよく、少なくとも１つのプロセッサによって実行されると、本明細書に記載の実施形態のいずれかに従って少なくとも１つのプロセッサにＵＥ１６００の機能を実行させる命令を含むコンピュータプログラムプロダクトが提供される。いくつかの実施形態では、前述のコンピュータプログラムプロダクトを含むキャリアが提供される。キャリアは、電子信号、光信号、無線信号、又はコンピュータ読み取り可能な記憶媒体（メモリ等の非一時的なコンピュータ読み取り可能媒体）のいずれかである。
【０１０６】
図１７は、本開示のいくつかの他の実施形態に係るＵＥ１６００の概略的なブロック図である。ＵＥ１６００は、１つ以上のモジュール１５００を含み、各モジュールはソフトウェアで実装される。（複数の）モジュール１５００は、本明細書で上述したＵＥ１６００の機能を提供する。
【０１０７】
本明細書に開示された任意の適切なステップ、方法、特徴、機能、又は利点は、１つ以上の仮想装置の１つ以上の機能ユニット又はモジュールを通じて実行されてもよい。各仮想装置は、いくつかのこれらの機能ユニットを備えてもよい。これらの機能ユニットは、１つ以上のマイクロプロセッサ又はマイクロコントローラを含みうる処理回路と、デジタルシグナルプロセッサ（ＤＳＰ）、専用デジタルロジック等を含みうる他のデジタルハードウェアを用いて実装されてもよい。処理回路は、メモリに格納されたプログラムコードを実行するように構成されてもよく、当該メモリは、リードオンリーメモリ（ＲＯＭ）、ランダムアクセスメモリ（ＲＡＭ）、キャッシュメモリ、フラッシュメモリデバイス、光ストレージデバイス等の、１つ以上のタイプのメモリを含んでもよい。メモリに格納されたプログラムコードは、１つ以上の遠隔通信及び／又はデータ通信プロトコルを実行するためのプログラム命令と、本明細書で説明される技術のうちの１つ以上を実行するための命令とを含む。いくつかの実装では、処理回路は、それぞれの機能ユニットに、本開示の１つ以上の実施形態に従って対応する機能を実行させるために使用されてもよい。
【０１０８】
本明細書に記載の技術及び装置の例示的な実施形態は、以下の列挙された例を含むがこれらに限定されない：
【０１０９】
１．無線アクセスネットワーク（ＲＡＮ）において集約ユニット（ＣＵ）によって実行される、複数の分散ユニット（ＤＵ）を介して通信するようにユーザ装置（ＵＥ）を設定するための、方法であって、
前記ＣＵと関連付けられた第１のＤＵを通じて確立された第１の無線ベアラを介して前記ＵＥから、１つ以上の更なるＤＵに関する無線測定値を受信することと、
前記無線測定値に基づいて、前記ＵＥと通信するために前記１つ以上の更なるＤＵのうちの第２のＤＵを選択することと、
前記選択された第２のＤＵが前記ＣＵと関連付けられているかどうかに基づいて、前記第２のＤＵを介して前記ＵＥとの１つ以上の更なる無線ベアラを確立するかどうかを決定することを更に含む、方法。
【０１１０】
２．実施形態１の方法であって、
前記第１の無線ベアラは、前記ＣＵ内の第１の無線リソース制御（ＲＲＣ）エンティティと関連付けられたシグナリング無線ベアラ（ＳＲＢ）を含み、
前記１つ以上の更なる無線ベアラは、
第２のＳＲＢ、
前記第１のＳＲＢについてのスプリットベアラ、
前記第１のＤＵを通じて確立された既存のデータ無線ベアラ（ＤＲＢ）についてのスプリットベアラ、及び
１つ以上の更なるＤＲＢ、
のうちの少なくとも１つを含む、方法。
【０１１１】
３．実施形態１又は２の方法であって、前記第２のＤＵが前記ＣＵと関連付けられていない場合に、前記第２のＤＵを介して前記１つ以上の更なる無線ベアラを確立することを求める要求を、Ｘｎインタフェースを介して更なるＣＵへ送信することを更に含む、方法。
【０１１２】
４．実施形態１又は２の方法であって、前記第２のＤＵが前記ＣＵと関連付けられている場合に、前記ＣＵ内で第２のＲＲＣエンティティを起動することを更に含む、方法。
【０１１３】
５．実施形態４の方法であって、前記第２のＤＵが前記ＣＵと関連付けられている場合に、前記第２のＲＲＣエンティティに関連して前記第２のＳＲＢを確立することを更に含む、方法。
【０１１４】
６．実施形態４の方法であって、前記第２のＲＲＣエンティティと関連付けられたカプセル化されたＲＲＣメッセージを含む、前記第１のＲＲＣエンティティと関連付けられたＲＲＣメッセージを、前記第１のＤＵを介して前記ＵＥへ送信することを更に含む、方法。
【０１１５】
７．実施形態２の方法であって、更に、前記第２のＤＵが前記ＣＵと関連付けられている場合に、
前記第１のＳＲＢについての前記スプリットベアラを確立することと、
前記第１のＤＵを通じて確立された前記既存のＤＲＢについての前記スプリットベアラを確立することを控えることと、
を含む、方法。
【０１１６】
８．実施形態１又は２の方法であって、
前記１つ以上の更なる無線ベアラは、
前記第２のＳＲＢと、前記第１のＳＲＢについての前記スプリットベアラと、のうちの１つを含む第１の更なる無線ベアラ、及び
前記既存のＤＲＢについての前記スプリットベアラと、１つ以上の更なるＤＲＢと、のうちの１つを含む第２の更なる無線ベアラ、を含み、
前記第１の更なる無線ベアラを確立するかどうかの決定は、前記第２の更なる無線ベアラを確立するかどうかの決定とは独立して実行される、方法。
【０１１７】
９．実施形態１又は２の方法であって、前記第２のＤＵが前記ＣＵと関連付けられている場合に、前記第１の無線ベアラとも関連付けられているセキュリティキーに関連して前記１つ以上の更なる無線ベアラを確立することを更に含む、方法。
【０１１８】
１０．実施形態１又は２の方法であって、前記第２のＤＵが前記ＣＵと関連付けられている場合に、前記１つ以上の更なる無線ベアラに関係する１つ以上のコンテキストセットアップメッセージを、前記第２のＤＵへ送信することを更に含む、方法。
【０１１９】
１１．実施形態１０の方法であって、前記１つ以上のコンテキストセットアップメッセージは、
前記ＵＥの１つ以上の能力、
キャリアアグリゲーション（ＣＡ）に使用可能な１つ以上のセルのリスト、
前記無線測定値の少なくとも一部、
前記第２のＤＵによって使用される測定設定、及び
前記１つ以上の無線ベアラに関する情報、
のうちの少なくとも１つを含む、方法。
【０１２０】
１２．実施形態１乃至１４のいずれかの方法であって、前記第１のＤＵ及び前記第２のＤＵは、前記ＵＥと通信するために異なる無線アクセス技術を利用するように構成されている、方法。
【０１２１】
１３．ユーザ装置（ＵＥ）が無線アクセスネットワーク（ＲＡＮ）において複数の分散ユニット（ＤＵ）を介して通信するための方法であって、
前記ＣＵと関連付けられた第１の分散ユニット（ＤＵ）を通じて確立された第１の無線ベアラを介して、１つ以上の更なるＤＵに関する無線測定値を、集約ユニット（ＣＵ）へ送信することと、
前記ＣＵ内の第１の無線リソース制御（ＲＲＣ）エンティティから、前記ＣＵ内の第２のＲＲＣエンティティと関連付けられたカプセル化されたＲＲＣメッセージを含む、第１のＲＲＣエンティティと関連付けられた少なくとも１つのＲＲＣメッセージを受信することであって、前記カプセル化されたＲＲＣメッセージは、前記ＣＵと関連付けられた第２のＤＵに関する情報を含む、ことと、
前記第２のＤＵを介して前記ＣＵとの１つ以上の更なる無線ベアラを確立することと、
を含む、方法。
【０１２２】
１４．実施形態１３の方法であって、
前記第１の無線ベアラは、前記第１のＲＲＣエンティティと関連付けられたシグナリング無線ベアラ（ＳＲＢ）であり、
前記１つ以上の更なる無線ベアラは、
第２のＳＲＢ、
前記第１のＳＲＢについてのスプリットベアラ、
前記第１のＤＵを通じて確立された既存のデータ無線ベアラ（ＤＲＢ）についてのスプリットベアラ、及び
１つ以上の更なるＤＲＢ、
のうちの少なくとも１つを含む、方法。
【０１２３】
１５．実施形態１４の方法であって、前記１つ以上の更なる無線ベアラを確立することは、前記第２のＳＲＢを確立することを含み、前記第２のＳＲＢを介して前記ＣＵ内の前記第２のＲＲＣエンティティと通信するために前記ＵＥ内の第２のＲＲＣエンティティを起動することを更に含む、方法。
【０１２４】
１６．実施形態１３乃至１５のいずれかの方法であって、前記第１の無線ベアラとも関連付けられているセキュリティキーに関連して前記１つ以上の更なる無線ベアラを確立することを更に含む、方法。
【０１２５】
１７．無線アクセスネットワーク（ＲＡＮ）において複数の分散ユニット（ＤＵ）を介して通信するように構成可能な無線デバイスであって、前記無線デバイスは、
実施形態１３乃至１６のいずれかに含まれるステップを実行するように構成された処理回路と、
前記無線デバイスに電力を供給するように構成された電源回路と、
を備える、無線デバイス。
【０１２６】
１８．複数の分散ユニット（ＤＵ）を介して通信するようにユーザ装置（ＵＥ）を設定するように構成された、無線アクセスネットワーク（ＲＡＮ）内の第１の集約ユニット（ＣＵ）であって、前記ＣＵは、
実施形態１乃至１２のいずれかに含まれるステップを実行するように構成された処理回路と、
前記基地局に電力を供給するように構成された電源回路と、
を備える、ＣＵ。
【０１２７】
１９．無線アクセスネットワーク（ＲＡＮ）において複数の分散ユニット（ＤＵ）を介して通信するように構成可能なユーザ装置（ＵＥ）であって、前記ＵＥは、
無線信号を送信及び受信するように構成されたアンテナと、
前記アンテナに動作可能に結合された無線フロントエンド回路と、
前記無線フロントエンド回路に動作可能に結合され、実施形態１３乃至１６のいずれかに含まれるステップを実行するように構成された処理回路と、
前記処理回路に接続され、情報の入力が前記処理回路によって処理されることを可能にするように構成された入力インタフェースと、
前記処理回路に接続され、前記処理回路によって処理された情報を出力するように構成された出力インタフェースと、
前記ＵＥに電力を供給するように構成されたバッテリーと、
を備える、ＵＥ。
【０１２８】
２０．ホストコンピュータを含む通信システムであって、
ユーザデータを提供するように構成された処理回路と、
ユーザ装置（ＵＥ）に送信するために前記ユーザデータをセルラネットワークへ転送するように構成された通信インタフェースと、を備え、前記セルラネットワークは、無線インタフェース及び処理回路を有する基地局を含み、前記基地局の処理回路は、実施形態１乃至１２を含む動作のいずれか実行するように構成される、通信システム。
【０１２９】
２１．上記実施形態の通信システムであって、前記基地局を更に備える、通信システム。
【０１３０】
２２．上記２つの実施形態の通信システムであって、前記ＵＥを更に含み、前記ＵＥは実施形態１３乃至１６のいずれかに対応する動作を実行するように構成される、通信システム。
【０１３１】
２３．上記３つの実施形態の通信システムであって、
前記ホストコンピュータの前記処理回路は、ホストアプリケーションを実行し、それにより前記ユーザデータを提供するように構成されており、
前記ＵＥは、前記ホストアプリケーションと関連付けられたクライアントアプリケーションを実行するように構成された処理回路を備える、通信システム。
【０１３２】
２４．ホストコンピュータ、基地局、及びユーザ装置（ＵＥ）を含む通信システムにおいて実行される方法であって、前記方法は、
前記ホストコンピュータにおいて、ユーザデータを提供することと、
前記ホストコンピュータにおいて、前記基地局を備えるセルラネットワークを介して前記ＵＥへ前記ユーザデータを搬送する送信を開始することと、を含み、前記基地局は、実施形態１乃至１２のいずれかを含む動作を実行する、方法。
【０１３３】
２５．上記実施形態の方法であって、前記基地局において、ユーザデータを送信することを更に含む、方法。
【０１３４】
２６．上記２つの実施形態の方法であって、前記ユーザデータは、ホストアプリケーションを実行することによって前記ホストコンピュータにおいて提供され、前記方法は更に、前記ＵＥにおいて、前記ホストアプリケーションと関連付けられたクライアントアプリケーションを実行することを含む、方法。
【０１３５】
２７．基地局と通信するように構成されたユーザ装置（ＵＥ）であって、前記ＵＥは、無線インタフェースと、上記３つの実施形態の方法のいずれかを実行するように構成された処理回路とを備える、ＵＥ。
【０１３６】
２８．ホストコンピュータを含む通信システムであって、
ユーザデータを提供するように構成された処理回路と、
ユーザ装置（ＵＥ）に送信するためにユーザデータをセルラネットワークへ転送するように構成された通信インタフェースと、を備え、前記ＵＥは、実施形態１３乃至１６のいずれかの動作を実行するように動作可能に結合及び構成された、無線インタフェース及び処理回路を備える、通信システム。
【０１３７】
２９．上記実施形態の通信システムであって、前記セルラネットワークは、前記ＵＥと通信するように構成された基地局を更に含む、通信システム。
【０１３８】
３０．上記２つの実施形態の通信システムであって、
前記ホストコンピュータの前記処理回路は、ホストアプリケーションを実行し、それにより前記ユーザデータを提供するように構成されており、
前記ＵＥの処理回路は、前記ホストアプリケーションと関連付けられたクライアントアプリケーションを実行するように構成されている、通信システム。
【０１３９】
３１．ホストコンピュータ、基地局、及びユーザ装置（ＵＥ）を含む通信システムにおいて実行される方法であって、前記方法は、
前記ホストコンピュータにおいて、ユーザデータを提供することと、
前記ホストコンピュータにおいて、前記基地局を備えるセルラネットワークを介して前記ＵＥへ前記ユーザデータを搬送する送信を開始することと、を含み、前記ＵＥは、実施形態１３乃至１６のいずれかに含まれるステップを実行する、方法。
【０１４０】
３２．上記実施形態の方法であって、前記ＵＥにおいて、前記基地局から前記ユーザデータを受信することを更に含む、方法。
【０１４１】
３３．ホストコンピュータを含む通信システムであって、
ユーザ装置（ＵＥ）から基地局への送信から生じるユーザデータを受信するように構成された通信インタフェースを備え、
前記ＵＥは、無線インタフェース及び処理回路を備え、前記ＵＥの処理回路は、実施形態１３乃至１６のいずれかの動作を実行するように構成される、通信システム。
【０１４２】
３４．上記実施形態の通信システムであって、前記ＵＥを更に備える、通信システム。
【０１４３】
３５．上記２つの実施形態の通信システムであって、前記基地局を更に含み、当該基地局は、前記ＵＥと通信するように構成された無線インタフェースと、前記ＵＥから前記基地局への送信によって搬送される前記ユーザデータを前記ホストコンピュータへ転送するように構成された通信インタフェースと、を備える、通信システム。
【０１４４】
３６．上記３つの実施形態の通信システムであって、
前記ホストコンピュータの処理回路は、ホストアプリケーションを実行するように構成されており、
前記ＵＥの処理回路は、前記ホストアプリケーションと関連付けられたクライアントアプリケーションを実行し、それによって前記ユーザデータを提供するように構成されている、通信システム。
【０１４５】
３７．上記４つの実施形態の通信システムであって、
前記ホストコンピュータの処理回路は、ホストアプリケーションを実行し、それにより要求データを提供するように構成され、
前記ＵＥの処理回路は、前記ホストアプリケーションと関連付けられたクライアントアプリケーションを実行し、それにより、前記要求データに応じて前記ユーザデータを提供するように構成される、通信システム。
【０１４６】
３８．ホストコンピュータ、基地局、及びユーザ装置（ＵＥ）を含む通信システムにおいて実行される方法であって、前記方法は、
前記ホストコンピュータにおいて、前記ＵＥから前記基地局へ送信されたユーザデータを受信することを含み、前記ＵＥは、実施形態１３乃至１６のいずれかの動作を実行する、方法。
【０１４７】
３９．上記実施形態の方法であって、前記ＵＥにおいて、前記基地局へ前記ユーザデータを提供することを更に含む、方法。
【０１４８】
４０．上記２つの実施形態の方法であって、更に、
前記ＵＥにおいて、クライアントアプリケーションを実行し、それにより、送信対象の前記ユーザデータを提供することと、
前記ホストコンピュータにおいて、前記クライアントアプリケーションと関連付けられたホストアプリケーションを実行することと、を含む、方法。
【０１４９】
４１．上記３つの実施形態の方法であって、更に、
前記ＵＥにおいて、クライアントアプリケーションを実行することと、
前記ＵＥにおいて、前記クライアントアプリケーションへの入力データであって、前記クライアントアプリケーションと関連付けられたホストアプリケーションを実行することによって前記ホストコンピュータにおいて提供される前記入力データを受信することと、を含み、
送信対象の前記ユーザデータは、前記入力データに応じて前記クライアントアプリケーションによって提供される、方法。
【０１５０】
４２．ユーザ装置（ＵＥ）から基地局への送信から生じるユーザデータを受信するように構成された通信インタフェースを備えるホストコンピュータを含む通信システムであって、前記基地局は、無線インタフェース及び処理回路を備え、前記基地局の処理回路は、実施形態１乃至１２のいずれかの動作を実行するように構成される、通信システム。
【０１５１】
４３．上記実施形態の通信システムであって、前記基地局を更に備える、通信システム。
【０１５２】
４４．上記２つの実施形態の通信システムであって、前記ＵＥを更に含み、前記ＵＥは前記基地局と通信するように構成される、通信システム。
【０１５３】
４５．上記３つの実施形態の通信システムであって、
前記ホストコンピュータの処理回路は、ホストアプリケーションを実行するように構成されており、
前記ＵＥは、前記ホストアプリケーションと関連付けられたクライアントアプリケーションを実行し、それにより、前記ホストコンピュータによって受信される前記ユーザデータを提供するように構成されている、通信システム。
【０１５４】
４６．ホストコンピュータ、基地局、及びユーザ装置（ＵＥ）を含む通信システムにおいて実行される方法であって、前記方法は、
前記ホストコンピュータにおいて、前記基地局が前記ＵＥから受信した送信から生じたユーザデータを、前記基地局から受信することを含み、前記ＵＥは、実施形態１３乃至１６のいずれかのステップを実行する、方法。
【０１５５】
４７．上記実施形態の方法であって、前記基地局において、前記から前記ユーザデータを受信することを更に含む、方法。
【０１５６】
４８．上記２つの実施形態の方法であって、前記基地局において、前記受信したユーザデータの前記ホストコンピュータへの送信を開始することを更に含む、方法。
【図１Ａ】
2021523601.tif 000003
【図１Ｂ】
2021523601.tif 000004
【図２Ａ】
2021523601.tif 000005
【図２Ｂ】
2021523601.tif 000006
【図３】
2021523601.tif 000007
【図４Ａ】
2021523601.tif 000008
【図４Ｂ】
2021523601.tif 000009
【図５】
2021523601.tif 000010
【図６】
2021523601.tif 000011
【図７】
2021523601.tif 000012
【図８】
2021523601.tif 000013
【図９】
2021523601.tif 000014
【図１０】
2021523601.tif 000015
【図１１】
2021523601.tif 000016
【図１２】
2021523601.tif 000017
【図１３】
2021523601.tif 000018
【図１４】
2021523601.tif 000019
【図１５】
2021523601.tif 000020
【図１６】
2021523601.tif 000021
【図１７】
2021523601.tif 000022
【図１８】
2021523601.tif 000023
【図１９】
2021523601.tif 000024
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
複数の分散ユニット（ＤＵ）を介して通信するようにユーザ装置（ＵＥ）を設定するための、無線アクセスネットワーク（ＲＡＮ）において第１の集約ユニット（ＣＵ）によって実行される方法であって、
第１のＤＵを介して前記ＵＥと通信するために第１の無線リソース制御（ＲＲＣ）エンティティを起動すること（１８１０）と、
前記第１のＤＵとのデュアルコネクティビティ（ＤＣ）設定で前記ＵＥと通信するための第２のＤＵを選択すること（１８４０）と、
前記選択された第２のＤＵが前記第１のＣＵと関連付けられているかどうかに基づいて、前記第２のＤＵを介して前記ＵＥと通信するために前記第１のＣＵ内で第２のＲＲＣエンティティを起動するかどうかを決定すること（１８５０）と、
を含む、方法。
【請求項２】
請求項１に記載の方法であって、前記第１のＤＵを介して前記ＵＥとの第１の無線ベアラを確立すること（１８２０）を更に含み、前記第１の無線ベアラは、前記第１のＲＲＣエンティティと関連付けられた第１のシグナリング無線ベアラ（ＳＲＢ）である、方法。
【請求項３】
請求項１又は２に記載の方法であって、前記第２のＤＵが前記第１のＣＵと関連付けられている場合に、前記第１のＣＵ内で前記第２のＲＲＣエンティティを起動すること（１８６１）を更に含む、方法。
【請求項４】
請求項３に記載の方法であって、前記第２のＲＲＣエンティティと関連付けられたカプセル化されたＲＲＣメッセージを含む、前記第１のＲＲＣエンティティと関連付けられたＲＲＣメッセージを、前記第１のＤＵを介して前記ＵＥへ送信すること（１８６３）を更に含む、方法。
【請求項５】
請求項２に記載の方法であって、前記第１の無線ベアラを介して前記ＵＥから、１つ以上の更なるＤＵに関する無線測定値を受信すること（１８３０）を更に含み、前記第２のＤＵは、前記無線測定値に基づいて前記１つ以上の更なるＤＵから選択される、方法。
【請求項６】
請求項５に記載の方法であって、前記選択された第２のＤＵが前記第１のＣＵと関連付けられているかどうかに基づいて、前記第２のＤＵを介して前記ＵＥとの１つ以上の更なる無線ベアラを確立するかどうかを決定すること（１８５２）を更に含む、方法。
【請求項７】
請求項６に記載の方法であって、前記１つ以上の更なる無線ベアラは、
第２のＳＲＢ、
前記第１のＳＲＢについてのスプリットベアラ、
前記第１のＤＵを通じて確立された既存のデータ無線ベアラ（ＤＲＢ）についてのスプリットベアラ、及び
１つ以上の更なるＤＲＢ、
のうちの少なくとも１つを含む、方法。
【請求項８】
請求項７に記載の方法であって、前記第２のＤＵが前記第１のＣＵと関連付けられている場合に、前記第２のＲＲＣエンティティに関連して前記第２のＳＲＢを確立すること（１８６２）を更に含む、方法。
【請求項９】
請求項６に記載の方法であって、
前記１つ以上の更なる無線ベアラは、
第２のＳＲＢと、前記第１のＳＲＢについてのスプリットベアラと、のうちの１つを含む第１の更なる無線ベアラ、及び
前記第１のＤＵを通じて確立された既存のデータ無線ベアラ（ＤＲＢ）についてのスプリットベアラと、１つ以上の更なるＤＲＢと、のうちの１つを含む第２の更なる無線ベアラ、を含み、
前記第１の更なる無線ベアラを確立するかどうかの決定（１８５２）は、前記第２の更なる無線ベアラを確立するかどうかの決定（１８５２）とは独立して実行される、方法。
【請求項１０】
請求項９に記載の方法であって、
前記第１の更なる無線ベアラは、前記第１のＳＲＢについてのスプリットベアラであり、
前記第２の更なる無線ベアラは、前記第１のＤＵを通じて確立された前記既存のＤＲＢについての前記スプリットベアラであり、
前記方法は更に、前記第２のＤＵが前記第１のＣＵと関連付けられている場合に、
前記第１のＳＲＢについての前記スプリットベアラを確立すること（１８６６）と、
前記既存のＤＲＢについての前記スプリットベアラを確立することを控えること（１８６７）と、
を含む、方法。
【請求項１１】
請求項６に記載の方法であって、前記第２のＤＵが前記第１のＣＵと関連付けられている場合に、前記第１の無線ベアラとも関連付けられているセキュリティキーに関連して前記１つ以上の更なる無線ベアラを確立すること（１８６４）を更に含む、方法。
【請求項１２】
請求項６に記載の方法であって、前記第２のＤＵが前記第１のＣＵと関連付けられている場合に、前記１つ以上の更なる無線ベアラに関係する１つ以上のコンテキストセットアップメッセージを、前記第２のＤＵへ送信すること（１８６５）を更に含む、方法。
【請求項１３】
請求項１２に記載の方法であって、前記１つ以上のコンテキストセットアップメッセージは、
前記ＵＥの１つ以上の能力、
キャリアアグリゲーションに使用可能な１つ以上のセルのリスト、
前記無線測定値の少なくとも一部、
前記第２のＤＵによって使用される測定設定、及び
前記１つ以上の更なる無線ベアラに関する情報、
のうちの少なくとも１つを含む、方法。
【請求項１４】
請求項６乃至１３のいずれか一項に記載の方法であって、前記第２のＤＵが前記第１のＣＵと関連付けられていない場合に、前記第２のＤＵを介して前記１つ以上の更なる無線ベアラを確立することを求める要求を、Ｘｎインタフェースを介して第２のＣＵへ送信すること（１８７０）を更に含む、方法。
【請求項１５】
請求項１乃至１４のいずれか一項に記載の方法であって、前記第１のＤＵ及び前記第２のＤＵは、前記ＵＥと通信するために異なる無線アクセス技術を利用するように構成されている、方法。
【請求項１６】
無線アクセスネットワーク（ＲＡＮ）（４９０）内の第１の集約ユニットＣＵ（４１０，５１０，１４００）であって、前記第１のＣＵは、複数の分散ユニットＤＵ（４２０，４３０，５２０，５３０，１３００）を介して１つ以上のユーザ装置（ＵＥ）と通信するように構成されており、前記第１のＣＵは更に、請求項１乃至１５のいずれか一項に記載の方法に対応する動作を実行するように構成されている、第１のＣＵ。
【請求項１７】
無線アクセスネットワーク（４９０）内の第１の集約ユニット（ＣＵ）（４１０，５１０，１４００）を含む１つ以上のプロセッサ（１４１４）によって実行されると、請求項１乃至１５のいずれか一項に記載の方法に対応する動作を実行するように前記第１のＣＵを構成する、コンピュータ実行可能命令（１４０７）を格納したコンピュータコンピュータ読み取り可能媒体（１４１０）。
【請求項１８】
無線アクセスネットワーク（４９０）内の第１の集約ユニット（ＣＵ）（４１０，５１０，１４００）を含む１つ以上のプロセッサ（１４１４）によって実行されると、請求項１乃至１５のいずれか一項に記載の方法に対応する動作を実行するように前記第１のＣＵを構成するコンピュータ実行可能命令を含む、コンピュータプログラム。
【国際調査報告】
2021523601.tif 000025
2021523601.tif 000026
2021523601.tif 000027